(57)【要約】  視認性のよいサムネイル表示を可能とする撮像装置を提供する。撮像装置は、被写体の光学的な像を形成する撮影光学系と、撮影光学系により形成された被写体の光学的な像を受光し、電気的な画像信号に変換して出力する撮像センサと、撮影時の撮像装置の姿勢を検出する姿勢検出部と、出力された画像信号と検出された姿勢を示す姿勢情報とを関連付けて記録する画像記録部と、記録された画像信号に基づく縮小画像を表示する表示部と、ユーザから姿勢情報の選択を受け付ける受付部と、選択された姿勢情報に応じて表示部における各縮小画像の配置位置と表示サイズとを変更する画像表示制御部とを備え、画像表示制御部は、姿勢情報に基づいて縮小画像の天地方向を撮影時における撮像装置の姿勢に復元し、復元した縮小画像を表示部に表示させる。
2007063680.tif 000002
【特許請求の範囲】
【請求項１】
被写体の光学的な像を電気的な画像信号として出力する撮像装置であって、
被写体の光学的な像を形成する撮影光学系と、
前記撮影光学系により形成された被写体の光学的な像を受光し、電気的な画像信号に変換して出力する撮像センサと、
撮影時の前記撮像装置の姿勢を検出する姿勢検出部と、
前記出力された画像信号と前記検出された姿勢を示す姿勢情報とを関連付けて記録する画像記録部と、
前記記録された画像信号に基づく縮小画像を表示する表示部と、
ユーザから姿勢情報の選択を受け付ける受付部と、
前記選択された姿勢情報に応じて前記表示部における各前記縮小画像の配置位置と表示サイズとを変更する画像表示制御部とを備え、
前記画像表示制御部は、前記姿勢情報に基づいて前記縮小画像の天地方向を撮影時における撮像装置の前記姿勢に復元し、復元した縮小画像を前記表示部に表示させる、撮像装置。
【請求項２】
前記姿勢情報は、撮影される画像が縦長画像または横長画像のいずれかを示す情報を含み、
前記受付部は、ユーザから縦長画像または横長画像のいずれかの選択を受け付け、
前記画像表示制御部は、前記選択された結果に応じて前記表示部における縦長画像および横長画像の配置位置を変更し、各前記縦長画像および横長画像のうち、前記選択された姿勢情報を有するいずれか一方の画像を他方よりも大きな表示サイズに変更する、請求項１に記載の撮像装置。
【請求項３】
前記画像表示制御部は、前記選択された結果に応じて前記表示部に表示する前記縦長画像および横長画像の表示枚数を変更する、請求項２に記載の撮像装置。
【請求項４】
前記表示部における各前記縦長画像および横長画像の配置位置と表示サイズとを示すレイアウトを格納するレイアウト格納部をさらに備え、
前記レイアウト格納部は、各前記縦長画像を各前記横長画像よりも大きな表示サイズで表示する縦長画像優先表示レイアウトと、各前記横長画像を各前記縦長画像よりも大きな表示サイズで表示する横長画像優先表示レイアウトとを格納し、
前記画像表示制御部は、前記選択された結果に応じて前記格納された前記縦長画像優先表示レイアウトおよび前記横長画像優先表示レイアウトのうち、いずれか一方のレイアウトにしたがって各前記縦長画像および横長画像を前記表示部に表示させる、請求項２に記載の撮像装置。
【請求項５】
被写体の光学的な像を電気的な画像信号として出力し、表示装置に接続可能な撮像装置であって、
被写体の光学的な像を形成する撮影光学系と、
前記撮影光学系により形成された被写体の光学的な像を受光し、電気的な画像信号に変換して出力する撮像センサと、
撮影時の前記撮像装置の姿勢を検出する姿勢検出部と、
前記出力された画像信号と前記検出された姿勢を示す姿勢情報とを関連付けて記録する画像記録部と、
ユーザから姿勢情報の選択を受け付ける受付部と、
前記選択された姿勢情報に応じて、前記表示装置における前記画像信号に基づく縮小画像の配置位置と表示サイズとを変更する表示制御信号を出力する表示制御信号出力部とを備え、
前記表示制御信号は、前記姿勢情報に基づいて前記縮小画像の天地方向を撮影時における撮像装置の前記姿勢に復元し、復元した縮小画像を前記表示装置に表示させる信号を含む、撮像装置。
【請求項６】
表示装置に接続可能な表示制御装置であって、
記録部に記録された画像信号と当該画像信号に対応する姿勢情報とを読み出す読み出し部と、
ユーザから姿勢情報の選択を受け付ける受付部と、
前記選択された姿勢情報に応じて前記表示装置における前記画像信号に基づく縮小画像の配置位置と表示サイズとを変更する表示制御信号を出力する表示制御信号出力部とを備え、
前記表示制御信号は、前記姿勢情報に基づいて前記縮小画像の天地方向を撮影時における撮像装置の前記姿勢に復元し、復元した縮小画像を前記表示装置に表示させる信号を含む、表示制御装置。
【請求項７】
前記姿勢情報は、撮影される画像が縦長画像または横長画像のいずれかを示す情報を含み、
前記受付部は、ユーザから縦長画像または横長画像のいずれかの選択を受け付け、
前記表示制御信号は、前記選択された結果に応じて前記表示装置における縦長画像および横長画像の配置位置を変更し、各前記縦長画像および横長画像のうち、前記選択された姿勢情報を有するいずれか一方の画像を他方よりも大きな表示サイズに変更する信号を含む、請求項６に記載の表示制御装置。
【請求項８】
前記表示制御信号は、前記選択された結果に応じて前記表示装置に表示する前記縦長画像および横長画像の表示枚数を変更する信号を含む、請求項６に記載の表示制御装置装置。
【請求項９】
前記表示装置における各前記縦長画像および横長画像の配置位置と表示サイズとを示すレイアウトを格納するレイアウト格納部をさらに備え、
前記レイアウト格納部は、各前記縦長画像を各前記横長画像よりも大きな表示サイズで表示する縦長画像優先表示レイアウトと、各前記横長画像を各前記縦長画像よりも大きな表示サイズで表示する横長画像優先表示レイアウトとを格納し、
前記表示制御信号は、前記選択された結果に応じて前記格納された前記縦長画像優先表示レイアウトおよび前記横長画像優先表示レイアウトのうち、いずれか一方のレイアウトにしたがって各前記縦長画像および横長画像を前記表示装置に表示させる信号を含む、請求項６に記載の表示制御装置。
【請求項１０】
被写体の光学的な像を電気的な画像信号として出力する撮像装置と、撮影画像を表示する表示装置とを含む画像表示システムであって、
前記撮像装置は、
被写体の光学的な像を形成する撮影光学系と、
前記撮影光学系により形成された被写体の光学的な像を受光し、電気的な画像信号に変換して出力する撮像センサと、
撮影時の前記撮像装置の姿勢を検出する姿勢検出部と、
前記出力された画像信号と前記検出された姿勢を示す姿勢情報とを関連付けて記録する画像記録部と、
ユーザから姿勢情報の選択を受け付ける受付部と、
前記選択された姿勢情報に応じて前記表示装置における各前記画像信号に基づく各縮小画像の配置位置と表示サイズとを変更する表示制御信号を出力する表示制御信号出力部とを備え、
前記表示制御信号は、前記姿勢情報に基づいて前記縮小画像の天地方向を撮影時における撮像装置の前記姿勢に復元し、復元した縮小画像を前記表示装置に表示させる信号を含み、
前記表示装置は、
前記記録された画像信号と前記出力された表示制御信号とを受信する受信部と、
前記表示制御信号にしたがって各前記画像信号に基づく各縮小画像を表示する表示部とを備える、画像表示システム。
【請求項１１】
前記姿勢情報は、前記撮像装置の姿勢に基づいて撮影画像が縦長画像または横長画像のいずれかを示す情報を含み、
前記受付部は、ユーザから縦長画像または横長画像のいずれかの選択を受け付け、
前記表示制御信号は、前記選択された結果に応じて前記表示装置における縦長画像および横長画像の配置位置を変更し、各前記縦長画像および横長画像のうち、前記選択された姿勢情報を有するいずれか一方の画像を他方よりも大きな表示サイズに変更する信号を含む、請求項１０に記載の表示システム。
【請求項１２】
レンズ鏡筒と前記レンズ鏡筒を交換可能な撮像装置とを含む撮像システムであって、
前記レンズ鏡筒は、
被写体の光学的な像を形成する撮像光学系を備え、
前記撮像装置は、
接続された前記撮像光学系により形成された被写体の光学的な像を受光して、前記光学的な像を電気的な画像信号に変換して出力する撮像センサと、
撮影時の前記撮像装置の姿勢を検出する姿勢検出部と、
前記出力された画像信号と前記検出された姿勢を示す姿勢情報とを関連付けて記録する画像記録部と、
前記記録され画像信号に基づく縮小画像を表示する表示部と、
ユーザから姿勢情報の選択を受け付ける受付部と、
前記選択された姿勢情報に応じて前記表示部における各前記縮小画像の配置位置と表示サイズとを変更する画像表示制御部とを備え、
前記画像表示制御部は、前記姿勢情報に基づいて前記縮小画像の天地方向を撮影時における撮像装置の前記姿勢に復元し、復元した縮小画像を前記表示サイズで表示させる、撮像システム。
【請求項１３】
レンズ鏡筒と前記レンズ鏡筒を交換可能な撮像装置とを含む撮像システムであって、
前記レンズ鏡筒は、
被写体の光学的な像を形成する撮像光学系と、
撮影時の前記撮像装置の姿勢を検出する姿勢検出部とを備え、
前記撮像装置は、
接続された前記撮像光学系により形成された被写体の光学的な像を受光して、前記光学的な像を電気的な画像信号に変換して出力する撮像センサと、
撮影時の前記撮像装置の姿勢を検出する姿勢検出部と、
前記出力された画像信号に基づく縮小画像と前記検出された姿勢を示す姿勢情報とを関連付けて記録する画像記録部と、
前記記録された縮小画像を表示する表示部と、
ユーザから姿勢情報の選択を受け付ける受付部と
前記選択された姿勢情報に応じて前記表示部における各前記縮小画像の配置位置と表示サイズとを変更する画像表示制御部とを備え、
前記画像表示制御部は、前記姿勢情報に基づいて前記縮小画像の天地方向を撮影時における撮像装置の前記姿勢に復元し、復元した縮小画像を前記表示サイズで表示させる、撮像システム。
【請求項１４】
前記姿勢情報は、撮影される画像が縦長画像または横長画像のいずれかを示す情報を含み、
前記受付部は、ユーザから縦長画像または横長画像のいずれかの選択を受け付け、
前記画像表示制御部は、前記選択された結果に応じて前記表示装置における縦長画像および横長画像の配置位置を変更し、各前記縦長画像および横長画像のうち、前記選択された姿勢情報を有するいずれか一方の画像を他方よりも大きな表示サイズに変更する、請求項１２または１３に記載の撮像システム。
【発明の詳細な説明】
【技術分野】
【０００１】
本発明は、撮像装置により撮像された画像の表示方法に関し、特定的には撮像装置の姿勢情報に基づいて撮影画像の表示方法を制御する撮像装置、表示制御装置、表示装置、画像表示システムおよび撮像システムに関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサおよび信号処理の集積度が向上し、かつ安価に提供できるようになったため、被写体の光学的な像を電気的な画像信号に変換して出力可能なデジタルスチルカメラやデジタルビデオカメラ（以下、単にデジタルカメラという）が急速に普及している。【０００３】
図１４Ａ〜Ｃは、デジタルカメラの姿勢と表示部に表示される撮影画像の姿勢との関係を示す図である。図１４Ａ〜Ｃに示すように、撮影者は撮影意図に応じ、デジタルカメラ１００の姿勢を変化させて撮影を行う。例えば、風景など横長の被写体を撮影する場合、撮影者はデジタルカメラ１００の姿勢を横状態として撮影を行う。一方、人物や建物など縦長の被写体を撮影する場合には、撮影者はデジタルカメラ１００の姿勢を縦状態として撮影を行う。以下、図１４Ａに示すように、シャッターボタンのストローク方向が、重力方向に対して平行になるときのデジタルカメラ１００の姿勢を横撮り姿勢という。一方、図１４Ｂに示すように、シャッターボタンのストローク方向が、重力方向に対して直交するときのデジタルカメラ１００の姿勢を縦撮り姿勢という。また、それぞれの姿勢で撮影された画像を横撮り画像または縦撮り画像という。従来のデジタルカメラ１００において、撮影画像は、撮影時のデジタルカメラ１００の姿勢と同じ向きで表示されていた。すなわち、図１４Ｂに示すように縦撮り姿勢で撮影した画像を、図１４Ｃに示すように、デジタルカメラ１００を横状態として、表示部に表示させた場合、表示される撮影画像の天地方向は撮影時の天地方向と異なって表示される。したがって、縦撮り画像および横撮り画像が混在する一連の撮影画像を表示する際、縦撮り画像の天地が撮影時の天地と異なるために見づらくなるという問題があった。【０００４】
この問題に対して、特開２００１−４５３５４号公報（以下、特許文献１という）は、撮像装置に光電変換手段の回転状態を検出する回転状態検出手段と、光電変換手段の出力に基づき得られる画像信号に、撮像時における回転状態情報を付加する付加手段とを設ける技術を提案している。【０００５】
回転状態情報を撮像画像信号に付加することにより、撮影時のデジタルカメラの撮影姿勢を検出し、横撮り姿勢あるいは縦撮り姿勢の撮影画像にかかわらず、撮影時の姿勢に応じた表示を行うことができる。
【特許文献１】特開２００１−４５３５４号公報
【発明の開示】
【発明が解決しようとする課題】
【０００６】
撮影者が撮影した複数の画像を表示する際、デジタルカメラに設けられた表示部２００に撮影画像を一覧表示させる方法がある。図１５は、特許文献１に記載された撮像装置により撮影された画像を一覧表示させた例を示す図である。一覧表示するために各撮影画像は縮小されて表示される。以下、表示部に複数の画像を一覧表示することをサムネイル表示といい、一覧表示するために縮小された画像をサムネイル画像という。また、横撮り姿勢で撮影された画像のサムネイル画像を横撮りサムネイル画像といい、縦撮り姿勢で撮影された画像のサムネイル画像を縦撮りサムネイル画像という。【０００７】
図１５に示すように、特許文献１に記載された発明によれば、撮影画像をサムネイル表示する場合、横撮り画像あるいは縦撮り画像にかかわらず、撮影時の姿勢に応じた表示を行うことができる。しかしながら、表示部２００に表示される縦撮りサムネイル画像は、その長辺長が横撮りサムネイル画像の短辺長に等しくなるように表示サイズが調整される。すなわち、縦撮りサムネイル画像は横撮りサムネイル画像と比べて横方向に表示される範囲が狭く、拡大して表示することができない。したがって、表示部２００に表示される縦撮りサムネイル画像は、横撮りサムネイル画像と比べて小さな表示サイズで表示されることになり、撮影者にとって見づらく、視認性が悪いという問題があった。【０００８】
そこで本発明の目的は、撮影姿勢の異なるサムネイル画像を混在させて表示する場合であっても、視認性がよく快適なサムネイル表示を可能とする撮像装置、さらに、これを可能とする表示制御装置、表示装置、画像表示システムおよび撮像システムを提供することにある。
【課題を解決するための手段】
【０００９】
本発明の目的は、以下の構成を備えた撮像装置によって達成される。被写体の光学的な像を電気的な画像信号として出力する撮像装置であって、被写体の光学的な像を形成する撮影光学系と、撮影光学系により形成された被写体の光学的な像を受光し、電気的な画像信号に変換して出力する撮像センサと、撮影時の撮像装置の姿勢を検出する姿勢検出部と、出力された画像信号と検出された姿勢を示す姿勢情報とを関連付けて記録する画像記録部と、記録された画像信号に基づく縮小画像を表示する表示部と、ユーザから姿勢情報の選択を受け付ける受付部と、選択された姿勢情報に応じて表示部における各縮小画像の配置位置と表示サイズとを変更する画像表示制御部とを備え、画像表示制御部は、姿勢情報に基づいて縮小画像の天地方向を撮影時における撮像装置の姿勢に復元し、復元した縮小画像を表示部に表示させる。【００１０】
この構成により、サムネイル画像は撮影時の撮影姿勢に天地方向が復元されて表示部に表示される。さらに撮像装置は、ユーザによって選択された姿勢情報に応じて各サムネイル画像の配置位置と表示サイズを変更するので、ユーザに対して視認性の高いサムネイル表示を行うことができる。【００１１】
本発明は以下の構成を備えた撮像装置によって達成される。被写体の光学的な像を電気的な画像信号として出力し、表示装置に接続可能な撮像装置であって、被写体の光学的な像を形成する撮影光学系と、撮影光学系により形成された被写体の光学的な像を受光し、電気的な画像信号に変換して出力する撮像センサと、撮影時の撮像装置の姿勢を検出する姿勢検出部と、出力された画像信号と検出された姿勢を示す姿勢情報とを関連付けて記録する画像記録部と、ユーザから姿勢情報の選択を受け付ける受付部と、選択された姿勢情報に応じて、表示装置における画像信号に基づく縮小画像の配置位置と表示サイズとを変更する表示制御信号を生成する表示制御信号出力部とを備え、表示制御信号は、姿勢情報に基づいて縮小画像の天地方向を撮影時における撮像装置の姿勢に復元し、復元した縮小画像を表示装置に表示させる信号を含む。【００１２】
本発明の目的は以下の構成を備えた表示制御装置によって達成される。表示装置に接続可能な表示制御装置であって、
記録部に記録された画像信号と画像信号に対応する姿勢情報とを読み出す読み出し部と、ユーザから姿勢情報の選択を受け付ける受付部と、選択された姿勢情報に応じて表示装置における画像信号に基づく縮小画像の配置位置と表示サイズとを変更する表示制御信号を出力する表示制御信号出力部とを備え、表示制御信号は、姿勢情報に基づいて縮小画像の天地方向を撮影時における撮像装置の姿勢に復元し、復元した縮小画像を表示サイズで表示装置に表示させる信号を含む。【００１３】
本発明は以下の構成を備えた表示制御装置によって達成される。表示装置に接続可能な表示制御装置であって、記録部に記録された画像信号と画像信号に対応する姿勢情報とを読み出す読み出し部と、ユーザから姿勢情報の選択を受け付ける受付部と、選択された姿勢情報に応じて表示装置における画像信号に基づく縮小画像の配置位置と表示サイズとを変更する表示制御信号を出力する表示制御信号出力部とを備え、表示制御信号は、姿勢情報に基づいて縮小画像の天地方向を撮影時における撮像装置の姿勢に復元し、復元した縮小画像を表示装置に表示させる信号を含む。【００１４】
本発明の目的は、以下の構成を備えた画像表示システムによって達成される。被写体の光学的な像を電気的な画像信号として出力する撮像装置と、撮影画像を表示する表示装置とを含む画像表示システムであって、撮像装置は、被写体の光学的な像を形成する撮影光学系と、撮影光学系により形成された被写体の光学的な像を受光し、電気的な画像信号に変換して出力する撮像センサと、撮影時の撮像装置の姿勢を検出する姿勢検出部と、出力された画像信号と検出された姿勢を示す姿勢情報とを関連付けて記録する画像記録部と、ユーザから姿勢情報の選択を受け付ける受付部と、選択された姿勢情報に応じて表示装置における各画像信号に基づく各縮小画像の配置位置と表示サイズとを変更する表示制御信号を生成する表示制御信号出力部とを備え、表示制御信号は、姿勢情報に基づいて縮小画像の天地方向を撮影時における撮像装置の姿勢に復元し、復元した縮小画像を表示装置に表示させる信号を含み、表示装置は、記録された画像信号と生成された表示制御信号とを受信する受信部と、表示制御信号にしたがって各画像信号に基づく各縮小画像を表示する表示部とを備える。【００１５】
また本発明の目的は、以下の構成を備えた撮像システムによって達成される。レンズ鏡筒とレンズ鏡筒を交換可能な撮像装置とを含む撮像システムであって、レンズ鏡筒は、被写体の光学的な像を形成する撮像光学系を備え、撮像装置は、接続された撮像光学系により形成された被写体の光学的な像を受光して、光学的な像を電気的な画像信号に変換して出力する撮像センサと、撮影時の撮像装置の姿勢を検出する姿勢検出部と、出力された画像信号と検出された姿勢を示す姿勢情報とを関連付けて記録する画像記録部と、記録され画像信号に基づく縮小画像を表示する表示部と、ユーザから姿勢情報の選択を受け付ける受付部と、選択された姿勢情報に応じて表示部における各縮小画像の配置位置と表示サイズとを変更する画像表示制御部とを備え、画像表示制御部は、姿勢情報に基づいて縮小画像の天地方向を撮影時における撮像装置の姿勢に復元し、復元した縮小画像を表示サイズで表示させる。【００１６】
また本発明の目的は、以下の構成を備えた撮像システムによって達成される。レンズ鏡筒とレンズ鏡筒を交換可能な撮像装置とを含む撮像システムであって、レンズ鏡筒は、被写体の光学的な像を形成する撮像光学系と、撮影時の撮像装置の姿勢を検出する姿勢検出部とを備え、撮像装置は、接続された撮像光学系により形成された被写体の光学的な像を受光して、光学的な像を電気的な画像信号に変換して出力する撮像センサと、撮影時の撮像装置の姿勢を検出する姿勢検出部と、出力された画像信号に基づく縮小画像と検出された姿勢を示す姿勢情報とを関連付けて記録する画像記録部と、記録された縮小画像を表示する表示部と、ユーザから姿勢情報の選択を受け付ける受付部と、選択された姿勢情報に応じて表示部における各縮小画像の配置位置と表示サイズとを変更する画像表示制御部とを備え、画像表示制御部は、姿勢情報に基づいて縮小画像の天地方向を撮影時における撮像装置の姿勢に復元し、復元した縮小画像を表示サイズで表示させる。
【発明の効果】
【００１７】
以上のように、本発明によれば、撮影姿勢の異なるサムネイル画像を混在させて表示する場合であっても、視認性がよく快適なサムネイル表示を可能とする撮像装置、さらに、これを可能とする表示制御装置、表示装置、画像表示システムおよび撮像システムを提供することができる。
【図面の簡単な説明】
【００１８】
【図１】図１は、実施の形態１に係るデジタルカメラの概略構成を示すブロック図である。
【図２Ａ】図２Ａは、実施の形態１に係るデジタルカメラの構成を示す図であり、デジタルカメラの上面図である。
【図２Ｂ】図２Ｂは、実施の形態１に係るデジタルカメラの構成を示す図であり、デジタルカメラの背面図である。
【図３】図３は、実施の形態１において撮影姿勢別に出力される姿勢判別信号を示す図である。
【図４】図４は、実施の形態１において、撮影した画像ファイルの管理方法を説明する図である。
【図５】図５は、実施の形態１における撮影画像の記録開始から記録終了までのフローチャートである。
【図６Ａ】図６Ａは、実施の形態１に係るデジタルカメラの表示部に表示される撮影画像の一例を示し、横撮り画像の表示例である。
【図６Ｂ】図６Ｂは、実施の形態１に係るデジタルカメラの表示部に表示される撮影画像の一例を示し、縦撮り画像の表示例である。
【図７】図７は、実施の形態１において、撮影画像をサムネイル表示させた場合における表示部の表示例を示す図である。
【図８】図８は、実施の形態１において表示部に表示される表示画像優先度選択メニューの一例を示す図である。
【図９Ａ】図９Ａは、実施の形態１における表示レイアウトの一例を示す図であり、図９Ａは横撮りサムネイル画像を優先させた表示レイアウトの一例である。
【図９Ｂ】図９Ｂは、実施の形態１における表示レイアウトの一例を示す図であり、図９Ｂは縦撮りサムネイル画像を優先させた表示レイアウトの一例を示す図である。
【図１０Ａ】図１０Ａは、実施の形態１における表示レイアウトの他の例を示す図である。
【図１０Ｂ】図１０Ｂは、実施の形態１における表示レイアウトの他の例を示す図である。
【図１１Ａ】図１１Ａは、実施の形態１において画像の表示する順序を説明するための図である。
【図１１Ｂ】図１１Ｂは、実施の形態１において画像の表示する順序を説明するための図である。
【図１２】図１２は、実施の形態２に係る表示装置およびデジタルカメラを示す図である。
【図１３】図１３は、実施の形態３に係る表示制御装置、デジタルカメラおよび表示装置を示す図である。
【図１４Ａ】図１４Ａは、デジタルカメラの姿勢と表示部に表示される撮影画像の姿勢との関係を示す図である。
【図１４Ｂ】図１４Ｂは、デジタルカメラの姿勢と表示部に表示される撮影画像の姿勢との関係を示す図である。
【図１４Ｃ】図１４Ｃは、デジタルカメラの姿勢と表示部に表示される撮影画像の姿勢との関係を示す図である。
【図１５】図１５は、従来の撮像装置により撮影された画像を一覧表示させた例を示す図である。
【符号の説明】
【００１９】
１  デジタルカメラ
１ａ  筐体
２  レンズ
３  マイクロコンピュータ
４  撮像センサ
５  ＣＣＤ駆動制御部
６  アナログ信号処理部
７  Ａ／Ｄ変換部
８  デジタル信号処理部
９  バッファメモリ
１０  画像圧縮部
１１  画像記録制御部
１２  画像記録部
１３  画像表示制御部
１４  表示レイアウト格納部
３５  電源スイッチ
３６  シャッター操作部
３７  撮影／再生切換操作部
３８  十字操作キー
３９  ＭＥＮＵ設定操作部
４０  ＳＥＴ操作部
５５  表示部
６０  姿勢判別信号
６５  表示画像優先度選択メニュー
６６ａ  横画像選択ボタン
６６ｂ  縦画像選択ボタン
７０  表示装置
７５  ケーブル
８０  表示装置
８１  リムーバブルメモリ挿入部
８２  表示制御装置
９０  撮影画像フォルダ
９１  静止画像フォルダ
９２  動画像フォルダ
９３ａ、９３ｂ  横姿勢画像フォルダ
９４ａ、９４ｂ  縦姿勢画像フォルダ
９５  静止画像ファイル
９６  動画像ファイル
Ｌ  撮影光学系
Ｌ１  第１レンズ群
Ｌ２  第２レンズ群
Ｌ３  第３レンズ群
Ｈ  横撮りサムネイル画像
Ｖ  縦撮りサムネイル画像
【発明を実施するための最良の形態】
【００２０】
（実施の形態１）
図１は、実施の形態１に係るデジタルカメラ１の概略構成を示すブロック図である。図１において、デジタルカメラ１は、撮像光学系Ｌと、マイクロコンピュータ３と、撮像センサ４と、ＣＣＤ駆動制御部５と、アナログ信号処理部６と、Ａ／Ｄ変換部７と、デジタル信号処理部８と、バッファメモリ９と、画像圧縮部１０と、画像記録制御部１１と、画像記録部１２と、画像表示制御部１３と、表示部５５と、シャッター制御部４１と、シャッター駆動モータ４２とを備えている。【００２１】
撮像光学系Ｌは、３つのレンズ群Ｌ１、Ｌ２、Ｌ３を含む光学系である。第１レンズ群Ｌ１が光軸方向に移動することによりズーミングが行われる。また、第３レンズ群Ｌ３が光軸方向に移動することによりフォーカシングが行われる。第２レンズ群Ｌ２は、補正レンズ群であって、光軸に垂直な面内を移動することにより光軸を偏心させて画像の動きを補正する役割を果たしている。【００２２】
マイクロコンピュータ３は、デジタルカメラ１の各種の制御部全体を制御する。なお、マイクロコンピュータ３は、電源スイッチ３５、シャッター操作部３６、撮影／再生切換操作部３７、十字操作キー３８、ＭＥＮＵ設定操作部３９およびＳＥＴ操作部４０からの信号をそれぞれ受信可能である。【００２３】
シャッター操作部３６は、撮影の際にユーザによって操作される、例えばレリーズボタンである。シャッター操作部３６が操作されると、タイミング信号がマイクロコンピュータ３に出力される。シャッター制御部４１は、タイミング信号を受信したマイクロコンピュータ３から出力される制御信号にしたがって、シャッター駆動モータ４２を駆動し、シャッターを動作させる。【００２４】
撮像センサ４は、ＣＣＤであり、撮影光学系Ｌにより形成される光学的な像を電気的な信号に変換する。撮像センサ４は、ＣＣＤ駆動制御部５により駆動制御される。なお、撮像センサ４は、ＣＭＯＳでもよい。【００２５】
撮像センサ４から出力された画像信号は、アナログ信号処理部６から、Ａ／Ｄ変換部７、デジタル信号処理部８、バッファメモリ９、画像圧縮部１０へと、順次送られて処理される。アナログ信号処理部６は、撮像センサ４から出力される画像信号にガンマ処理等のアナログ信号処理を施す。Ａ／Ｄ変換部７は、アナログ信号処理部６から出力されたアナログ信号をデジタル信号に変換する。デジタル信号処理部８は、Ａ／Ｄ変換部７によりデジタル信号に変換された画像信号に対してノイズ除去や輪郭強調等のデジタル信号処理を施す。バッファメモリ９は、ＲＡＭ（Ｒａｎｄｏｍ  Ａｃｃｅｓｓ  Ｍｅｍｏｒｙ）であり、デジタル信号処理部８により処理された画像信号を一旦記憶する。【００２６】
さらに、バッファメモリ９に記憶された画像信号は、画像圧縮部１０から画像記録部１２へと、順次送られて処理される。バッファメモリ９に記憶された画像信号は、画像記録制御部１１の指令により読み出されて、画像圧縮部１０に送信される。画像圧縮部１０に送信された画像信号のデータは、所定の比率で圧縮されて、そのデータサイズが小さくなる。かかる圧縮方法として、例えばＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。また同時に、画像圧縮部１０はサムネイル表示等に用いられる撮影画像に対応する縮小画像信号についても生成する。その後、圧縮された画像信号および縮小画像信号は、画像記録部１２へ送信される。【００２７】
画像記録部１２は、画像記録制御部１１の指令に基づいて、画像信号と、対応する縮小画像信号と、記録すべき所定の情報とを関連付けて記録する、例えば内部メモリおよび／又は着脱可能なリムーバブルメモリである。なお、画像信号とともに記録すべき所定の情報は、画像の撮影日時と、焦点距離情報と、シャッタースピード情報と、絞り値情報と、撮影モード情報と、後述するデジタルカメラ１の姿勢情報とを含む。【００２８】
画像表示制御部１３は、マイクロコンピュータ３からの制御信号により制御される。この画像表示制御部１３の指令により、表示部５５は、画像記録部１２あるいはバッファメモリ９に記録された画像信号を可視画像として表示する。表示部５５の表示形態は、画像信号のみを可視画像として表示する表示形態と、画像信号と撮影時の情報とを可視画像として表示する表示形態とがある。なお、画像信号の撮影時の情報は、焦点距離情報と、シャッタースピード情報と、絞り値情報と、撮影モード情報と、合焦状態情報と、姿勢情報とを含む。これらの情報は、ＭＥＮＵ設定操作部３９の操作により表示される。【００２９】
次に、実施の形態１に係るデジタルカメラ１の構成について、図２を用いて説明する。図２Ａはデジタルカメラ１の上面図、図２Ｂはデジタルカメラ１の背面図である。【００３０】
筐体１ａは、前面にレンズ２を含む撮像光学系を備え、背面に電源スイッチ３５と、撮影／再生切換操作部３７と、十字操作キー３８と、ＭＥＮＵ設定操作部３９と、ＳＥＴ操作部４０と、液晶モニタからなる表示部５５とを含む。さらに、筐体１ａの上面は、シャッター操作部３６と、ズーム操作部５７とを備える。【００３１】
ズーム操作部５７は、シャッター操作部３６と同軸に回動可能となるように、シャッター操作部３６の周囲に設けられている。電源スイッチ３５は、デジタルカメラ１の電源のＯＮ／ＯＦＦを行う操作部材である。撮影／再生切換操作部３７は、撮影モードと再生モードの切換えを行う操作部材であり、レバーを回動させることにより切換えられる。また撮影モードに切換えられた状態で、ズーム操作部５７を右方向へ回動させると、撮影光学系Ｌは望遠側へ切換えられる。一方、ズーム操作部５７を左方向へ回動させると撮影光学系Ｌは広角側へ切換えられる。【００３２】
ＭＥＮＵ設定操作部３９は、表示部５５に各種メニューを表示させるための操作部材である。十字操作キー３８は、ＭＥＮＵ設定操作部３９の操作により表示部５５に表示された各種操作メニューから、上下左右の部位を押下して選択するための操作部材である。十字操作キー３８により各種操作メニューが選択されると、マイクロコンピュータ３は選択されたメニューの実行指令を出力する。ＳＥＴ操作部４０は、各種操作メニューの表示を表示前の状態に戻すための操作部材である。【００３３】
次に、本実施の形態に係るデジタルカメラ１の姿勢を検出する姿勢検出部４３について説明する。現在、デジタルカメラ１の姿勢を検出する手段として、様々な姿勢検出方法が提案されている。その一例として特許文献１に開示されているように、回転検出部を備えたデジタルカメラが提案されている。さらに他の例として、デジタルカメラに加わる振動を検知して、撮像光学系の補正レンズを光軸と直交する２方向に駆動する像ブレ補正部を備えたデジタルカメラが提案されている。像ブレ補正部を備えたデジタルカメラは、像ブレ補正部から出力される補正レンズへの駆動信号を検出することにより、デジタルカメラの姿勢を判別する。本実施の形態に係るデジタルカメラ１は、上述の方法により姿勢を検出する姿勢検出部を備えてもよいし、また、これらに限られずデジタルカメラに角速度センサ等を取り付けてもよい。なお、上述した姿勢検出方法は一例であって、これらの方法によらず姿勢を検出する構成を備えていればよい。【００３４】
次に、本実施の形態に係るデジタルカメラ１の動作について説明する。図３は撮影姿勢別に出力される姿勢判別信号を示す。なお、本実施の形態における撮影姿勢は、横撮り姿勢をデジタルカメラ１の基準姿勢としている（角度は０°）。したがって、縦撮りの姿勢は、デジタルカメラ１の基準姿勢から光軸を中心として９０°回転させた状態となる。【００３５】
撮影を行うために、撮影者は、まず電源スイッチ３５をＯＮ側に操作した後、撮影／再生切換操作部３７を撮影モードに切換える。これにより、デジタルカメラ１は撮影状態へ移行する。風景など横長の被写体を撮影するため撮影者がデジタルカメラ１を横撮り姿勢にすると、姿勢検出部４３は姿勢判別信号６０（０）を出力する。そして横撮り姿勢でシャッター操作部３６が操作されると、画像記録制御部１１は画像信号が格納される画像ファイルに対して姿勢判別信号６０（０）を付加する。ここで姿勢判別信号６０は、例えば画像ファイルのフッタ部分あるいはヘッダ部分に付加される。姿勢判別信号６０が付加された画像ファイルは、画像記録部１２に記録される。【００３６】
一方、人物など縦長の被写体を撮影するため撮影者がデジタルカメラ１を縦撮り姿勢にすると、姿勢検出部４３は姿勢判別信号６０（１）を出力する。そして縦撮り姿勢でシャッター操作部３６が操作されると、画像記録制御部１１は画像信号を格納する画像ファイルに対して姿勢判別信号６０（１）を付加する。ここで、姿勢判別信号６０（１）は、例えば画像ファイルのフッタ部分あるいはヘッダ部分に付加される。姿勢判別信号６０（１）が付加された画像ファイルは、画像記録部１２に記録される。このように画像ファイルには、撮影時のデジタルカメラ１の姿勢に応じた姿勢判別信号６０が画像信号とともに格納される。【００３７】
次に、画像信号および姿勢判別信号が格納される画像ファイルの管理方法について図４を用いて説明する。図４において画像記録部１２には、撮影画像フォルダ９０と、その下の階層に静止画像フォルダ９１および動画像フォルダ９２とが形成される。さらに、静止画像フォルダ９１および動画像フォルダ９２のそれぞれ下の階層に、横姿勢画像フォルダ９３ａおよび９３ｂと縦姿勢画像フォルダ９４ａおよび９４ｂとが形成される。これにより撮影画像は、静止画像もしくは動画像別のフォルダに振り分けられた後、さらに撮影時の撮影姿勢別のフォルダに格納される。例えば、静止画撮影モードにおいて横撮り姿勢にて撮影された静止画像は、静止画像ファイル９５として横姿勢画像フォルダ９３ａに格納される。また例えば、動画撮影モードにおいて縦撮り姿勢にて撮影された動画像は、動画像ファイル９６として縦姿勢画像フォルダ９４ｂに格納される。【００３８】
図５は、撮影画像の記録処理を示し、記録開始から記録終了までのフローチャートである。まず、撮影者は撮影画像を記録するためにＭＥＮＵ設定操作部３９を操作して、表示部５５に各種メニュー画面を表示させる。そして撮影者は、表示された各種メニュー画面から画像記録を選択する。この一連の操作によりデジタルカメラ１は、画像記録のモードへ移行する（ステップＳ１）。次にマイクロコンピュータ３は、撮影モードの判定を行う。すなわちマイクロコンピュータ３は、撮影者が静止画撮影モードまたは動画撮影モードのいずれの撮影モードを選択しているのかを判断する（ステップＳ２）。静止画撮影モードが選択されている場合にはデジタルカメラ１の処理はステップＳ３へ移行し、動画撮影モードが選択されている場合にはデジタルカメラ１の処理はステップＳ８へ移行する。【００３９】
まず、ステップＳ２において静止画撮影モードと判断された場合の処理（ステップＳ３〜ステップＳ７）について説明する。すなわち画像記録制御部１１は、撮影画像の記録先ディレクトリを静止画像フォルダ９１に設定する（ステップＳ３）。次に、画像記録制御部１１は、姿勢検出部４３により出力された姿勢判別信号６０に基づいてデジタルカメラ１の姿勢を判断する（ステップＳ４）。すなわち、姿勢判別信号６０が（０）である場合にはデジタルカメラ１の姿勢は横撮り姿勢であり、姿勢判別信号が（１）である場合にはデジタルカメラ１の姿勢は縦撮り姿勢である。【００４０】
画像記録制御部１１は、ステップＳ４で判断されたデジタルカメラ１の撮影姿勢が横撮り姿勢である場合には、撮影画像を格納すべきフォルダを横姿勢画像フォルダ９３ａに設定する（ステップＳ５ａ）。一方、画像記録制御部１１は、撮影姿勢が縦撮り姿勢である場合には撮影画像を格納すべきフォルダを縦姿勢画像フォルダ９４ａに設定する（ステップＳ５ｂ）。このようにステップＳ５ａ、Ｓ５ｂの処理により、静止画像の記録先のフォルダが決定される。次に、撮影者によりシャッター操作部３６が押されたか否かを判断し（ステップＳ６）、押された場合には静止画撮影処理を行う（ステップＳ７）。静止画撮影処理が終了すると撮影画像は所定のフォルダに格納され、記録は終了する。このように撮影された静止画像は、画像ファイル９５ａ、９５ｂとして、横姿勢画像フォルダ９３ａあるいは縦姿勢画像フォルダ９４ａ内に格納される。【００４１】
次に、ステップＳ２において動画撮影モードと判断された場合の処理（ステップＳ８〜ステップＳ１２）について説明する。撮影者が動画撮影モードを選択している場合、画像記録制御部１１は、撮影画像の記録先ディレクトリを動画像フォルダ９２に設定する（ステップＳ８）。そして画像記録制御部１１は、姿勢検出部４３により出力された姿勢判別信号６０に基づいてデジタルカメラ１の姿勢を判断する（ステップＳ９）。続いて画像記録制御部１１は、ステップＳ４で判断されたデジタルカメラ１の撮影姿勢が横撮り姿勢である場合には、撮影画像を格納すべきフォルダを横姿勢画像フォルダ９３ｂに設定する（ステップＳ１０ａ）。一方、画像記録制御部１１は、撮影姿勢が縦撮り姿勢である場合には、撮影画像を格納すべきフォルダを縦姿勢画像フォルダ９４ｂに設定する（ステップＳ１０ｂ）。次に、撮影者によりシャッター操作部３６が押されたか否かを判断し（ステップＳ１１）、押された場合には動画像撮影処理を行う（ステップＳ１２）。動画像撮影処理が終了すると撮影画像は所定のフォルダに格納され、記録は終了する。このように撮影された静止画像は、画像ファイル９６ａ、９６ｂとして、横姿勢画像フォルダ９３ｂあるいは縦姿勢画像フォルダ９４ｂ内に格納される。以上により、図５に示す撮影画像の記録処理は終了する。【００４２】
次に、デジタルカメラ１により撮影された画像の表示処理について図６を用いて説明する。図６は、デジタルカメラ１の表示部５５に表示される撮影画像の一例を示す。図６Ａは横撮り画像の表示例、図６Ｂは縦撮り画像の表示例を示す。撮影者は、表示部５５に撮影画像を表示するために、電源スイッチ３５をＯＮとした後、撮影／再生切換操作部３７を再生モードに切換える。これにより撮影画像は表示部５５に１枚の撮影画像が表示されるか、またはサムネイル表示される。サムネル表示された場合には、さらに撮影者は表示されたサムネイル画像の中から十字操作キー３８を操作して画像を選択することができる。以上の一連の操作により、表示部５５には選択された１枚の撮影画像が表示される。このとき画像表示制御部１３は、撮影の際に姿勢検出部４３により出力された姿勢判別信号６０に基づき撮影画像の表示を制御する。以下、撮影画像の表示制御処理について説明する。【００４３】
横撮り姿勢で撮影された画像は、撮影の際に横撮り姿勢であることを示す姿勢判別信号６０（０）が付加されている。画像表示制御部１３は、図６Ａに示すように、付加された姿勢判別信号が（０）の場合には横撮り画像を表示部５５に表示させる。【００４４】
一方、縦撮り姿勢で撮影された画像は、撮影の際に縦撮り姿勢であることを示す姿勢判別信号６０（１）が付加されている。画像表示制御部１３は、図６Ｂに示すように、付加された姿勢判別信号が（１）の場合には表示部５５に表示される撮影画像の姿勢を９０°回転させて表示する。すなわち、表示部５５に表示される撮影画像は、撮影時と同じ姿勢に復元される。このように画像表示制御部１３は、撮影画像の天地方向を撮影時の撮影姿勢に復元して表示するので、視認性を向上させることができる。なお、図６において表示部５５は横幅を長辺長としているが、縦幅を長辺長とする表示部であってもよい。【００４５】
かかる表示制御処理は、撮影画像をサムネイル表示する場合についても同様に行われる。図７は、撮影画像をサムネイル表示させた場合の表示例を示す。上述のように画像記録部１２には、撮影画像とともに撮影画像に対して間引き処理等が施されたサムネイル画像が記録される。撮影者がＭＥＮＵ設定操作部３９等を操作すると、画像表示制御部１３は撮影された日時順に複数のサムネイル画像を表示部５５に表示させる。図７に示すように画像表示制御部１３は、表示部５５に３行×３列の合計９枚のサムネイル画像を表示する。なお図７中、１〜７番の７つのサムネイル画像は横撮りサムネイル画像であり、また８番および９番の２つのサムネイル画像は、縦撮りサムネイル画像である。このように表示部５５には縦および横撮りサムネイル画像が混在して表示される。【００４６】
また画像表示制御部１３は、サムネイル表示においても図６で示した場合と同様の表示制御処理を行う。画像表示制御部１３は、姿勢判別信号６０（０）に基づいて、撮影時の撮影姿勢と同じ姿勢でサムネイル画像を表示する（図７中の１〜７番）。一方、姿勢判別信号（１）が付加されている場合には、画像表示制御部１３は横撮り姿勢に対して光軸を中心に９０°回転させてサムネイル画像を表示する。すなわち、縦撮り姿勢にて撮影された画像は、撮影時と同じ姿勢に天地方向が復元されて表示部５５に表示される（図７中の８および９番）。これにより、本実施の形態に係るデジタルカメラ１は、視認性のよいサムネイル表示を可能とする。なお、撮影者は表示部５５に表示されたサムネイル画像から十字操作キー３８を操作して一枚の画像を選択することができる。選択されたサムネイル画像は、図６で示したように拡大されて表示部５５に表示される。【００４７】
さらに本実施の形態に係るデジタルカメラ１は、縦撮りサムネイル画像または横撮りサムネイル画像のいずれか一方を優先して表示することができる。すなわち、本実施の形態に係るデジタルカメラは、縦および横撮りサムネイル画像を混在させて表示する場合において、縦または横撮りサムネイル画像のいずれかの一方を他方よりも優先的に大きな表示サイズに変更し、各サムネイル画像の配置位置を変更して表示する。例えば縦撮りサムネイル画像が優先されると、各縦撮りサムネイル画像は各横撮りサムネイル画像のよりも大きな表示サイズで表示される。【００４８】
図８は、表示部５５に表示される表示画像優先度選択メニュー６６の一例である。表示画像優先度選択メニュー６６は、撮影者が撮影／再生切換操作部３７を再生モードに切換え、さらにＭＥＮＵ設定操作部３９が押下すると表示される。表示画像優先度選択メニュー６６は、横画像選択ボタン６６ａと縦画像選択ボタン６６ｂとから構成され、撮影者はいずれかの選択ボタンを選択することができる。【００４９】
撮影者により横画像選択ボタン６６ａが選択されると、画像表示制御部１３は横撮りサムネイル画像を縦撮りサムネイル画像よりも大きな表示サイズで表示部５５に表示する。図９Ａは、横撮りサムネイル画像を優先させて表示するレイアウトの一例である。図９Ａ中、表示部５５には２枚の横撮りサムネイル画像Ｈと５枚の縦撮りサムネイル画像Ｖが表示される。画像表示制御部１３は、横画像選択ボタン６６ａが選択されると図９Ａに示すレイアウトに従って、各サムネイル画像を所定の表示サイズおよび配置位置に表示する。これにより横撮りサムネイル画像Ｈは、縦撮りサムネイル画像Ｖよりも大きな表示サイズで表示されるので、横撮りサムネイル画像Ｈの視認性を向上させることができる。【００５０】
一方、撮影者により縦画像選択ボタン６６ｂが選択されると、画像表示制御部１３は縦撮りサムネイル画像を横撮りサムネイル画像よりも大きな表示サイズで表示する。図９Ｂは、縦撮りサムネイル画像を優先させて表示するレイアウトの一例である。図９Ｂ中、表示部５５には３枚の横撮りサムネイル画像Ｈと４枚の縦撮りサムネイル画像Ｖが表示される。画像表示制御部１３は、縦画像選択ボタン６６ｂが選択されると各サムネイル画像を図９Ｂに示すレイアウトに従って、各サムネイル画像を所定の表示サイズおよび配置位置に表示する。これにより縦撮りサムネイル画像Ｖは、横撮りサムネイル画像Ｈよりも大きな表示サイズで表示されるので、縦撮りサムネイル画像Ｖの視認性を向上させることができる。【００５１】
なお、図９に示したレイアウトは一例であり、これ以外にも種々のレイアウトが考えられる。すなわち、優先された撮影姿勢により撮影されたサムネイル画像を他方の撮影姿勢により撮影されたサムネイル画像よりも大きな表示サイズで表示できればよい。したがって画像表示制御部１３は、例えば横撮りサムネイル画像Ｈを優先するレイアウトとして図１０Ａのレイアウトに従って各サムネイル画像を表示してもよいし、また縦撮りサムネイル画像Ｖを優先するレイアウトとして図１０Ｂに示すレイアウトに従って各サムネイル画像を表示してもよい。【００５２】
以上のように、本実施の形態に係るデジタルカメラは、サムネイル画像の天地方向を撮影時の撮影姿勢に復元し、復元したサムネイル画像を表示部に表示する。さらに、本実施の形態に係るデジタルカメラは、縦または横撮りサムネイル画像のうち、いずれか一方のサムネイル画像を優先させて表示する。これにより、本実施の形態に係るデジタルカメラは、優先された撮影姿勢により撮影されたサムネイル画像を他方のサムネイル画像よりも大きな表示サイズで表示するので、撮影姿勢の異なるサムネイル画像を混在させて表示させた場合でも視認性のよいサムネイル表示が可能である。【００５３】
なお、サムネイル画像を表示させる順序は、撮影された日時順に表示部５５の左部から右部にかけて表示させてもよい。図１１ＡおよびＢは、図８に示したレイアウトに関しサムネイル画像を表示する順序を示した図である。図１１ＡおよびＢにおいて横撮りおよび縦撮りサムネイル画像は、それぞれ撮影された日時の古いものから順に図中の矢印に従って表示される。なお、図１１に示した表示の順序は一例であって、これ以外の順序であってもよい。また例えば、撮影日時に関係なくランダムに表示させてもよい。【００５４】
なお、本実施の形態に係るデジタルカメラは、複数のレイアウトを格納した表示レイアウト格納部をさらに備えてもよい。かかる場合、画像表示制御部１３は、表示画像優先度選択メニュー６６において選択された結果に基づいて、表示レイアウト格納部から所定のレイアウトを抽出し、抽出したレイアウトにしたがって各サムネイル画像を表示部５５に表示する。また表示レイアウト格納部は、縦撮りサムネイル画像を優先して表示するレイアウトと横撮りサムネイル画像を優先して表示するレイアウトとを各々１種類ずつ格納してもよいし、それぞれ複数のレイアウトを格納してもよい。【００５５】
なお、本実施の形態に係るデジタルカメラは、サムネイル画像をレイアウトにしたがって表示したが、これに限られない。画像信号が格納される画像ファイルに対して、表示サイズおよび配置位置を示す情報を付加し、付加された情報にしたがってサムネイル画像が表示されてもよい。【００５６】
（実施の形態２）
図１２は、実施の形態２に係る表示装置およびデジタルカメラを示す図である。本実施の形態に係る表示装置７０は、ケーブル７５を介してデジタルカメラ１と接続される。なお、デジタルカメラ１は実施の形態１とほぼ同様の構成を備えるが、デジタルカメラ１の画像記録部に記録された撮影画像を外部に接続された表示装置７０に表示させる点で異なる。以下、実施の形態１と異なる点を中心に説明する。【００５７】
表示装置７０は、デジタルカメラ１から出力された制御信号に基づいて、撮影時の撮影姿勢に天地方向を復元した撮影画像およびサムネイル画像を表示する、例えばテレビモニタである。ケーブル７５は、表示装置７０とデジタルカメラ１とを接続する、例えばＵＳＢ（Ｕｎｉｖｅｒｓａｌ  Ｓｅｒｉａｌ  Ｂｕｓ）である。表示装置７０は、ケーブル７５を介して画像表示制御部１３により制御される。すなわち、画像表示制御部１３は表示装置７０に表示させる撮影画像およびサムネイル画像の天地方向を撮影時の撮影姿勢に復元して表示する。さらに、画像表示制御部１３はサムネイル表示を行う際に縦または横撮り姿勢により撮影されたサムネイル画像のうち、いずれか一方の撮影姿勢により撮影されたサムネイル画像を優先させて表示する。なお、画像表示制御部１３の作用及び効果は実施の形態１と同様であるので、ここでは説明を省略する。【００５８】
このように本実施の形態に係る表示装置は、デジタルカメラから出力された制御信号に基づいて、撮影時の撮影姿勢に天地方向を復元したサムネイル画像を表示することができる。さらに表示装置は、デジタルカメラから出力された制御信号に基づいて、縦撮り姿勢または横撮り姿勢により撮影されたサムネイル画像のうち、いずれか一方のサムネイル画像を優先させて表示する。したがって、優先された撮影姿勢により撮影されたサムネイル画像を他方の撮影姿勢により撮影されたサムネイル画像よりも大きなサイズで表示することができるので、撮影姿勢の異なるサムネイル画像を混在させて表示させた場合でも、視認性の高いサムネイル表示が可能である。【００５９】
特に、本実施の形態に係る表示装置を用いることにより、デジタルカメラの表示部よりも大きな表示画面に画像を表示することができるので、さらに視認性のよいサムネイル表示が可能である。また、本実施の形態に係る表示装置は、表示部を備えていないデジタルカメラにより撮影された画像を表示する場合に特に効果的である。【００６０】
なお、本実施の形態に係る表示装置は一例としてテレビモニタを用いたが、これに限られない。例えば、デジタルカメラはモニタに接続されたパーソナルコンピュータとケーブルを介して接続されてもよい。【００６１】
なお、本実施の形態に含まれるケーブル７５は、ＵＳＢケーブルを用いたが、これに限られない。例えば、ＩＥＥＥ１３９４シリアルバス用ケーブルや無線ＬＡＮなどの無線により接続されてもよい。さらには、通信技術の進歩又は派生する別技術によりこれらに置き換わる技術が登場すれば、当然、その技術を用いて接続されてもよい。【００６２】
（実施の形態３）
図１３は、実施の形態３に係る表示制御装置、デジタルカメラおよび表示装置を示す図である。図１３中、デジタルカメラ１および表示装置８０は、実施の形態１および２とほぼ同様の構成を備えるが、リムーバブルメモリ５１に記録された画像を姿勢情報とともに読み取り可能な点で異なる。また、本実施の形態に係る表示制御装置８２は、実施の形態１における画像表示制御部１３と同様の機能を有する点で異なる。以下、実施の形態１および２と異なる点を中心に説明する。【００６３】
デジタルカメラ１により撮影された画像は、姿勢情報とともにリムーバブルメモリ５１に記録される。リムーバブルメモリ５１は、例えばメモリーカードである。表示装置８０は、実施の形態２に係る表示装置７０とほぼ同様の構成を有するが、リムーバブルメモリ挿入部８１をさらに備え、リムーバブルメモリ５１に記録されたサムネイル画像を姿勢情報とともに読み取ることができる。【００６４】
表示制御装置８２は、実施の形態１における画像表示制御部１３と同様の機能を有し、表示装置８０における撮影画像の表示を制御する、例えばハードディスクレコーダやパーソナルコンピュータである。表示制御装置８２は、姿勢情報に基づいて撮影画像およびサムネイル画像の天地方向を撮影時の撮影姿勢に復元して表示させる制御信号を表示装置８０に出力する。ここで表示制御装置８２から出力される制御信号には、縦または横撮り姿勢により撮影されたサムネイル画像のうち、いずれか一方の撮影姿勢により撮影されたサムネイル画像を優先して表示させる信号を含む。表示装置８０は、表示制御装置８２から出力された制御信号にしたがって撮影画像およびサムネイル画像を表示する。【００６５】
以上のように、本実施の形態に係る表示制御装置は、姿勢情報に基づいて、撮影時の撮影姿勢に天地方向を復元したサムネイル画像を表示装置に表示する。さらに表示制御装置は、縦撮り姿勢または横撮り姿勢により撮影されたサムネイル画像のうち、いずれか一方のサムネイル画像を優先させて表示装置に表示する。したがって、優先された撮影姿勢により撮影されたサムネイル画像を他方の撮影姿勢により撮影されたサムネイル画像よりも大きなサイズで表示させることができるので、撮影姿勢の異なるサムネイル画像を混在させて表示させた場合でも、視認性の高いサムネイル表示が可能である。【００６６】
特に本実施の形態に係る表示制御装置は、読み出した撮影画像と姿勢情報とから視認性のよいサムネイル表示を行うことができるので、デジタルカメラは撮影画像と姿勢情報とを記録できればよく複雑な構成を必要しない。【００６７】
なお、本実施の形態に係る表示制御装置、デジタルカメラおよび表示装置に含まれる各構成要素同士は、任意の組み合わせが可能である。例えば、デジタルカメラは表示レイアウト格納部を備え、選択された表示レイアウトを撮影画像とともにリムーバブルメモリに格納してもよく、各構成要素の組み合わせはこれに限られない。【００６８】
なお、本実施の形態に係る表示制御装置は、ハードディスクレコーダやパーソナルコンピュータを例として示したが、これに限られない。例えば、リムーバブルメモリの読み出しが可能なＤＶＤレコーダ等を介して、テレビモニタに表示してもよい。【００６９】
なお、本実施の形態に含まれる表示装置および表示制御装置は、リムーバブルメモリ挿入部を備えたが、これに限られない。例えば、リムーバブルメモリの読み出しが可能なメモリーカードリーダ等の読み取り装置と、表示制御装置と、表示装置とが接続された構成としてもよい。【００７０】
なお、実施の形態１〜３において、表示部の画面を仮想的に２分割あるいは３分割し、当該分割画面にサムネイル画像を表示してもよい。【００７１】
なお、実施の形態１〜３において、デジタルカメラは、１つのシャッター操作部を備えたが、これに限られない。例えば、横撮り姿勢にて用いる第１シャッター操作部と、縦撮り姿勢にて用いる第２シャッター操作部との２つのシャッター操作部を備えてもよい。これにより、姿勢検出部を備えないデジタルカメラであっても、いずれの撮影姿勢により撮影されたかを容易に把握することができる。【００７２】
なお、実施の形態１〜３において、撮影画像は静止画像である場合についてのみ示したが、動画あるいは簡易動画であっても同様の効果を得ることができる。【００７３】
なお、実施の形態１〜３において、横撮り姿勢を０°とし、横撮り姿勢から光軸を中心に９０°回転させたときのデジタルカメラの姿勢を縦撮り姿勢としたが、これに限られない。縦撮り姿勢は、横撮り姿勢から光軸を中心に−９０°回転させたときの姿勢を含む。また、あるいは姿勢検出部は、横撮り姿勢から光軸を中心に−９０°回転させた場合には姿勢判別信号として（２）を付加してもよく、横撮り姿勢が１種類、縦撮り姿勢が２種類の合計３種類の姿勢を検出してもよい。【００７４】
なお、実施の形態１〜３において、姿勢検出部は、姿勢判別信号として（０）または（１）の信号を付加したが、これに限られない。例えば、縦撮り姿勢により撮影された画像についてのみ信号を付加してもよい。また姿勢判別信号は、画像ファイルのヘッダあるいはフッタ部分に格納されたが、これに限られない。姿勢判別信号は、画像信号とは別のファイルに記録してもよく、画像信号が記録された画像ファイルと、姿勢判別信号が記録された姿勢判別ファイルとを対応させてもよい。【００７５】
なお、実施の形態１〜３において、表示部あるいは表示装置の縦横比は、横幅を長辺としたが、これに限られない。縦幅を長辺とする表示部あるいは表示装置であっても同様の効果を得ることができる。【００７６】
なお、実施の形態１〜３に係るデジタルカメラは撮像光学系を備えたが、これに限られない。一眼レフレックスカメラシステムのように、撮像光学系を保持するレンズ鏡筒と、撮像素子を含むカメラ本体とが別々に構成されるシステムに対しても適用することができる。【００７７】
なお、実施の形態２または３において、撮影画像はデジタルカメラの外部に接続された表示装置に表示する構成としたが、これに限られない。例えば、デジタルカメラの外部に印刷装置を接続する場合においても、本発明と同様の効果を得ることができる。【００７８】
なお、実施の形態２または３において、表示装置にはサムネイル画像を表示する場合について説明したが、単一の撮影画像を表示する場合についても天地方向を復元して表示することができる。
【産業上の利用可能性】
【００７９】
本発明の撮像装置、表示装置ならびに表示制御装置は、撮影画像の表示方法に関し快適な表示が要望されている、デジタルスチルカメラ、デジタルビデオカメラ、カメラ機能付きの携帯電話端末およびＰＤＡ、さらにＤＶＤレコーダおよびハードディスクレコーダなどに好適である。
【図１】
2007063680.tif 000003
【図２Ａ】
2007063680.tif 000004
【図２Ｂ】
2007063680.tif 000005
【図３】
2007063680.tif 000006
【図４】
2007063680.tif 000007
【図５】
2007063680.tif 000008
【図６Ａ】
2007063680.tif 000009
【図６Ｂ】
2007063680.tif 000010
【図７】
2007063680.tif 000011
【図８】
2007063680.tif 000012
【図９Ａ】
2007063680.tif 000013
【図９Ｂ】
2007063680.tif 000014
【図１０Ａ】
2007063680.tif 000015
【図１０Ｂ】
2007063680.tif 000016
【図１１Ａ】
2007063680.tif 000017
【図１１Ｂ】
2007063680.tif 000018
【図１２】
2007063680.tif 000019
【図１３】
2007063680.tif 000020
【図１４Ａ】
2007063680.tif 000021
【図１４Ｂ】
2007063680.tif 000022
【図１４Ｃ】
2007063680.tif 000023
【図１５】
2007063680.tif 000024
【手続補正書】
【提出日】平成20年4月15日(2008.4.15)
【手続補正１】
【補正対象書類名】特許請求の範囲
【補正対象項目名】全文
【補正方法】変更
【補正の内容】
【特許請求の範囲】
【請求項１】
被写体の光学的な像を電気的な画像信号として出力する撮像装置であって、
被写体の光学的な像を形成する撮影光学系と、
前記撮影光学系により形成された被写体の光学的な像を受光し、電気的な画像信号に変換して出力する撮像センサと、
撮影時の前記撮像装置の姿勢を検出する姿勢検出部と、
前記出力された画像信号と前記検出された姿勢を示す姿勢情報とを関連付けて記録する画像記録部と、
前記記録された画像信号に基づく縮小画像を表示する表示部と、
ユーザから姿勢情報の選択を受け付ける受付部と、
前記選択された姿勢情報に応じて前記表示部における各前記縮小画像の配置位置と表示サイズとを変更する画像表示制御部とを備え、
前記画像表示制御部は、前記姿勢情報に基づいて前記縮小画像の天地方向を撮影時における撮像装置の前記姿勢に復元し、復元した縮小画像を前記表示部に表示させる、撮像装置。
【請求項２】
前記姿勢情報は、撮影される画像が縦長画像または横長画像のいずれかを示す情報を含み、
前記受付部は、ユーザから縦長画像または横長画像のいずれかの選択を受け付け、
前記画像表示制御部は、前記選択された結果に応じて前記表示部における縦長画像および横長画像の配置位置を変更し、各前記縦長画像および横長画像のうち、前記選択された姿勢情報を有するいずれか一方の画像を他方よりも大きな表示サイズに変更する、請求項１に記載の撮像装置。
【請求項３】
前記画像表示制御部は、前記選択された結果に応じて前記表示部に表示する前記縦長画像および横長画像の表示枚数を変更する、請求項２に記載の撮像装置。
【請求項４】
前記表示部における各前記縦長画像および横長画像の配置位置と表示サイズとを示すレイアウトを格納するレイアウト格納部をさらに備え、
前記レイアウト格納部は、各前記縦長画像を各前記横長画像よりも大きな表示サイズで表示する縦長画像優先表示レイアウトと、各前記横長画像を各前記縦長画像よりも大きな表示サイズで表示する横長画像優先表示レイアウトとを格納し、
前記画像表示制御部は、前記選択された結果に応じて前記格納された前記縦長画像優先表示レイアウトおよび前記横長画像優先表示レイアウトのうち、いずれか一方のレイアウトにしたがって各前記縦長画像および横長画像を前記表示部に表示させる、請求項２に記載の撮像装置。
【請求項５】
被写体の光学的な像を電気的な画像信号として出力し、表示装置に接続可能な撮像装置であって、
被写体の光学的な像を形成する撮影光学系と、
前記撮影光学系により形成された被写体の光学的な像を受光し、電気的な画像信号に変換して出力する撮像センサと、
撮影時の前記撮像装置の姿勢を検出する姿勢検出部と、
前記出力された画像信号と前記検出された姿勢を示す姿勢情報とを関連付けて記録する画像記録部と、
ユーザから姿勢情報の選択を受け付ける受付部と、
前記選択された姿勢情報に応じて、前記表示装置における前記画像信号に基づく縮小画像の配置位置と表示サイズとを変更する表示制御信号を出力する表示制御信号出力部とを備え、
前記表示制御信号は、前記姿勢情報に基づいて前記縮小画像の天地方向を撮影時における撮像装置の前記姿勢に復元し、復元した縮小画像を前記表示装置に表示させる信号を含む、撮像装置。
【請求項６】
表示装置に接続可能な表示制御装置であって、
記録部に記録された画像信号と当該画像信号に対応する姿勢情報とを読み出す読み出し部と、
ユーザから姿勢情報の選択を受け付ける受付部と、
前記選択された姿勢情報に応じて前記表示装置における前記画像信号に基づく縮小画像の配置位置と表示サイズとを変更する表示制御信号を出力する表示制御信号出力部とを備え、
前記表示制御信号は、前記姿勢情報に基づいて前記縮小画像の天地方向を撮影時における撮像装置の前記姿勢に復元し、復元した縮小画像を前記表示装置に表示させる信号を含む、表示制御装置。
【請求項７】
前記姿勢情報は、撮影される画像が縦長画像または横長画像のいずれかを示す情報を含み、
前記受付部は、ユーザから縦長画像または横長画像のいずれかの選択を受け付け、
前記表示制御信号は、前記選択された結果に応じて前記表示装置における縦長画像および横長画像の配置位置を変更し、各前記縦長画像および横長画像のうち、前記選択された姿勢情報を有するいずれか一方の画像を他方よりも大きな表示サイズに変更する信号を含む、請求項６に記載の表示制御装置。
【請求項８】
前記表示制御信号は、前記選択された結果に応じて前記表示装置に表示する前記縦長画像および横長画像の表示枚数を変更する信号を含む、請求項６に記載の表示制御装置装置。
【請求項９】
前記表示装置における各前記縦長画像および横長画像の配置位置と表示サイズとを示すレイアウトを格納するレイアウト格納部をさらに備え、
前記レイアウト格納部は、各前記縦長画像を各前記横長画像よりも大きな表示サイズで表示する縦長画像優先表示レイアウトと、各前記横長画像を各前記縦長画像よりも大きな表示サイズで表示する横長画像優先表示レイアウトとを格納し、
前記表示制御信号は、前記選択された結果に応じて前記格納された前記縦長画像優先表示レイアウトおよび前記横長画像優先表示レイアウトのうち、いずれか一方のレイアウトにしたがって各前記縦長画像および横長画像を前記表示装置に表示させる信号を含む、請求項６に記載の表示制御装置。
【請求項１０】
被写体の光学的な像を電気的な画像信号として出力する撮像装置と、撮影画像を表示する表示装置とを含む画像表示システムであって、
前記撮像装置は、
被写体の光学的な像を形成する撮影光学系と、
前記撮影光学系により形成された被写体の光学的な像を受光し、電気的な画像信号に変換して出力する撮像センサと、
撮影時の前記撮像装置の姿勢を検出する姿勢検出部と、
前記出力された画像信号と前記検出された姿勢を示す姿勢情報とを関連付けて記録する画像記録部と、
ユーザから姿勢情報の選択を受け付ける受付部と、
前記選択された姿勢情報に応じて前記表示装置における各前記画像信号に基づく各縮小画像の配置位置と表示サイズとを変更する表示制御信号を出力する表示制御信号出力部とを備え、
前記表示制御信号は、前記姿勢情報に基づいて前記縮小画像の天地方向を撮影時における撮像装置の前記姿勢に復元し、復元した縮小画像を前記表示装置に表示させる信号を含み、
前記表示装置は、
前記記録された画像信号と前記出力された表示制御信号とを受信する受信部と、
前記表示制御信号にしたがって各前記画像信号に基づく各縮小画像を表示する表示部とを備える、画像表示システム。
【請求項１１】
前記姿勢情報は、前記撮像装置の姿勢に基づいて撮影画像が縦長画像または横長画像のいずれかを示す情報を含み、
前記受付部は、ユーザから縦長画像または横長画像のいずれかの選択を受け付け、
前記表示制御信号は、前記選択された結果に応じて前記表示装置における縦長画像および横長画像の配置位置を変更し、各前記縦長画像および横長画像のうち、前記選択された姿勢情報を有するいずれか一方の画像を他方よりも大きな表示サイズに変更する信号を含む、請求項１０に記載の表示システム。
【請求項１２】
レンズ鏡筒と前記レンズ鏡筒を交換可能な撮像装置とを含む撮像システムであって、
前記レンズ鏡筒は、
被写体の光学的な像を形成する撮像光学系を備え、
前記撮像装置は、
接続された前記撮像光学系により形成された被写体の光学的な像を受光して、前記光学的な像を電気的な画像信号に変換して出力する撮像センサと、
撮影時の前記撮像装置の姿勢を検出する姿勢検出部と、
前記出力された画像信号と前記検出された姿勢を示す姿勢情報とを関連付けて記録する画像記録部と、
前記記録され画像信号に基づく縮小画像を表示する表示部と、
ユーザから姿勢情報の選択を受け付ける受付部と、
前記選択された姿勢情報に応じて前記表示部における各前記縮小画像の配置位置と表示サイズとを変更する画像表示制御部とを備え、
前記画像表示制御部は、前記姿勢情報に基づいて前記縮小画像の天地方向を撮影時における撮像装置の前記姿勢に復元し、復元した縮小画像を前記表示サイズで表示させる、撮像システム。
【請求項１３】
レンズ鏡筒と前記レンズ鏡筒を交換可能な撮像装置とを含む撮像システムであって、
前記レンズ鏡筒は、
被写体の光学的な像を形成する撮像光学系と、
撮影時の前記撮像装置の姿勢を検出する姿勢検出部とを備え、
前記撮像装置は、
接続された前記撮像光学系により形成された被写体の光学的な像を受光して、前記光学的な像を電気的な画像信号に変換して出力する撮像センサと、
撮影時の前記撮像装置の姿勢を検出する姿勢検出部と、
前記出力された画像信号に基づく縮小画像と前記検出された姿勢を示す姿勢情報とを関連付けて記録する画像記録部と、
前記記録された縮小画像を表示する表示部と、
ユーザから姿勢情報の選択を受け付ける受付部と
前記選択された姿勢情報に応じて前記表示部における各前記縮小画像の配置位置と表示サイズとを変更する画像表示制御部とを備え、
前記画像表示制御部は、前記姿勢情報に基づいて前記縮小画像の天地方向を撮影時における撮像装置の前記姿勢に復元し、復元した縮小画像を前記表示サイズで表示させる、撮像システム。
【請求項１４】
前記姿勢情報は、撮影される画像が縦長画像または横長画像のいずれかを示す情報を含み、
前記受付部は、ユーザから縦長画像または横長画像のいずれかの選択を受け付け、
前記画像表示制御部は、前記選択された結果に応じて前記表示装置における縦長画像および横長画像の配置位置を変更し、各前記縦長画像および横長画像のうち、前記選択された姿勢情報を有するいずれか一方の画像を他方よりも大きな表示サイズに変更する、請求項１２または１３に記載の撮像システム。
【手続補正２】
【補正対象書類名】明細書
【補正対象項目名】全文
【補正方法】変更
【補正の内容】
【発明の詳細な説明】
【技術分野】
【０００１】
本発明は、撮像装置により撮像された画像の表示方法に関し、特定的には撮像装置の姿勢情報に基づいて撮影画像の表示方法を制御する撮像装置、表示制御装置、表示装置、画像表示システムおよび撮像システムに関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサおよび信号処理の集積度が向上し、かつ安価に提供できるようになったため、被写体の光学的な像を電気的な画像信号に変換して出力可能なデジタルスチルカメラやデジタルビデオカメラ（以下、単にデジタルカメラという）が急速に普及している。
【０００３】
図１４Ａ〜Ｃは、デジタルカメラの姿勢と表示部に表示される撮影画像の姿勢との関係を示す図である。図１４Ａ〜Ｃに示すように、撮影者は撮影意図に応じ、デジタルカメラ１００の姿勢を変化させて撮影を行う。例えば、風景など横長の被写体を撮影する場合、撮影者はデジタルカメラ１００の姿勢を横状態として撮影を行う。一方、人物や建物など縦長の被写体を撮影する場合には、撮影者はデジタルカメラ１００の姿勢を縦状態として撮影を行う。以下、図１４Ａに示すように、シャッターボタンのストローク方向が、重力方向に対して平行になるときのデジタルカメラ１００の姿勢を横撮り姿勢という。一方、図１４Ｂに示すように、シャッターボタンのストローク方向が、重力方向に対して直交するときのデジタルカメラ１００の姿勢を縦撮り姿勢という。また、それぞれの姿勢で撮影された画像を横撮り画像または縦撮り画像という。従来のデジタルカメラ１００において、撮影画像は、撮影時のデジタルカメラ１００の姿勢と同じ向きで表示されていた。すなわち、図１４Ｂに示すように縦撮り姿勢で撮影した画像を、図１４Ｃに示すように、デジタルカメラ１００を横状態として、表示部に表示させた場合、表示される撮影画像の天地方向は撮影時の天地方向と異なって表示される。したがって、縦撮り画像および横撮り画像が混在する一連の撮影画像を表示する際、縦撮り画像の天地が撮影時の天地と異なるために見づらくなるという問題があった。
【０００４】
この問題に対して、特開２００１−４５３５４号公報（以下、特許文献１という）は、撮像装置に光電変換手段の回転状態を検出する回転状態検出手段と、光電変換手段の出力に基づき得られる画像信号に、撮像時における回転状態情報を付加する付加手段とを設ける技術を提案している。
【０００５】
回転状態情報を撮像画像信号に付加することにより、撮影時のデジタルカメラの撮影姿勢を検出し、横撮り姿勢あるいは縦撮り姿勢の撮影画像にかかわらず、撮影時の姿勢に応じた表示を行うことができる。
【特許文献１】特開２００１−４５３５４号公報
【発明の開示】
【発明が解決しようとする課題】
【０００６】
撮影者が撮影した複数の画像を表示する際、デジタルカメラに設けられた表示部２００に撮影画像を一覧表示させる方法がある。図１５は、特許文献１に記載された撮像装置により撮影された画像を一覧表示させた例を示す図である。一覧表示するために各撮影画像は縮小されて表示される。以下、表示部に複数の画像を一覧表示することをサムネイル表示といい、一覧表示するために縮小された画像をサムネイル画像という。また、横撮り姿勢で撮影された画像のサムネイル画像を横撮りサムネイル画像といい、縦撮り姿勢で撮影された画像のサムネイル画像を縦撮りサムネイル画像という。
【０００７】
図１５に示すように、特許文献１に記載された発明によれば、撮影画像をサムネイル表示する場合、横撮り画像あるいは縦撮り画像にかかわらず、撮影時の姿勢に応じた表示を行うことができる。しかしながら、表示部２００に表示される縦撮りサムネイル画像は、その長辺長が横撮りサムネイル画像の短辺長に等しくなるように表示サイズが調整される。すなわち、縦撮りサムネイル画像は横撮りサムネイル画像と比べて横方向に表示される範囲が狭く、拡大して表示することができない。したがって、表示部２００に表示される縦撮りサムネイル画像は、横撮りサムネイル画像と比べて小さな表示サイズで表示されることになり、撮影者にとって見づらく、視認性が悪いという問題があった。
【０００８】
そこで本発明の目的は、撮影姿勢の異なるサムネイル画像を混在させて表示する場合であっても、視認性がよく快適なサムネイル表示を可能とする撮像装置、さらに、これを可能とする表示制御装置、表示装置、画像表示システムおよび撮像システムを提供することにある。
【課題を解決するための手段】
【０００９】
本発明の目的は、以下の構成を備えた撮像装置によって達成される。被写体の光学的な像を電気的な画像信号として出力する撮像装置であって、被写体の光学的な像を形成する撮影光学系と、撮影光学系により形成された被写体の光学的な像を受光し、電気的な画像信号に変換して出力する撮像センサと、撮影時の撮像装置の姿勢を検出する姿勢検出部と、出力された画像信号と検出された姿勢を示す姿勢情報とを関連付けて記録する画像記録部と、記録された画像信号に基づく縮小画像を表示する表示部と、ユーザから姿勢情報の選択を受け付ける受付部と、選択された姿勢情報に応じて表示部における各縮小画像の配置位置と表示サイズとを変更する画像表示制御部とを備え、画像表示制御部は、姿勢情報に基づいて縮小画像の天地方向を撮影時における撮像装置の姿勢に復元し、復元した縮小画像を表示部に表示させる。
【００１０】
この構成により、サムネイル画像は撮影時の撮影姿勢に天地方向が復元されて表示部に表示される。さらに撮像装置は、ユーザによって選択された姿勢情報に応じて各サムネイル画像の配置位置と表示サイズを変更するので、ユーザに対して視認性の高いサムネイル表示を行うことができる。
【００１１】
本発明は以下の構成を備えた撮像装置によって達成される。被写体の光学的な像を電気的な画像信号として出力し、表示装置に接続可能な撮像装置であって、被写体の光学的な像を形成する撮影光学系と、撮影光学系により形成された被写体の光学的な像を受光し、電気的な画像信号に変換して出力する撮像センサと、撮影時の撮像装置の姿勢を検出する姿勢検出部と、出力された画像信号と検出された姿勢を示す姿勢情報とを関連付けて記録する画像記録部と、ユーザから姿勢情報の選択を受け付ける受付部と、選択された姿勢情報に応じて、表示装置における画像信号に基づく縮小画像の配置位置と表示サイズとを変更する表示制御信号を生成する表示制御信号出力部とを備え、表示制御信号は、姿勢情報に基づいて縮小画像の天地方向を撮影時における撮像装置の姿勢に復元し、復元した縮小画像を表示装置に表示させる信号を含む。
【００１２】
本発明の目的は以下の構成を備えた表示制御装置によって達成される。表示装置に接続可能な表示制御装置であって、
記録部に記録された画像信号と画像信号に対応する姿勢情報とを読み出す読み出し部と、ユーザから姿勢情報の選択を受け付ける受付部と、選択された姿勢情報に応じて表示装置における画像信号に基づく縮小画像の配置位置と表示サイズとを変更する表示制御信号を出力する表示制御信号出力部とを備え、表示制御信号は、姿勢情報に基づいて縮小画像の天地方向を撮影時における撮像装置の姿勢に復元し、復元した縮小画像を表示サイズで表示装置に表示させる信号を含む。
【００１３】
本発明は以下の構成を備えた表示制御装置によって達成される。表示装置に接続可能な表示制御装置であって、記録部に記録された画像信号と画像信号に対応する姿勢情報とを読み出す読み出し部と、ユーザから姿勢情報の選択を受け付ける受付部と、選択された姿勢情報に応じて表示装置における画像信号に基づく縮小画像の配置位置と表示サイズとを変更する表示制御信号を出力する表示制御信号出力部とを備え、表示制御信号は、姿勢情報に基づいて縮小画像の天地方向を撮影時における撮像装置の姿勢に復元し、復元した縮小画像を表示装置に表示させる信号を含む。
【００１４】
本発明の目的は、以下の構成を備えた画像表示システムによって達成される。被写体の光学的な像を電気的な画像信号として出力する撮像装置と、撮影画像を表示する表示装置とを含む画像表示システムであって、撮像装置は、被写体の光学的な像を形成する撮影光学系と、撮影光学系により形成された被写体の光学的な像を受光し、電気的な画像信号に変換して出力する撮像センサと、撮影時の撮像装置の姿勢を検出する姿勢検出部と、出力された画像信号と検出された姿勢を示す姿勢情報とを関連付けて記録する画像記録部と、ユーザから姿勢情報の選択を受け付ける受付部と、選択された姿勢情報に応じて表示装置における各画像信号に基づく各縮小画像の配置位置と表示サイズとを変更する表示制御信号を生成する表示制御信号出力部とを備え、表示制御信号は、姿勢情報に基づいて縮小画像の天地方向を撮影時における撮像装置の姿勢に復元し、復元した縮小画像を表示装置に表示させる信号を含み、表示装置は、記録された画像信号と生成された表示制御信号とを受信する受信部と、表示制御信号にしたがって各画像信号に基づく各縮小画像を表示する表示部とを備える。
【００１５】
また本発明の目的は、以下の構成を備えた撮像システムによって達成される。レンズ鏡筒とレンズ鏡筒を交換可能な撮像装置とを含む撮像システムであって、レンズ鏡筒は、被写体の光学的な像を形成する撮像光学系を備え、撮像装置は、接続された撮像光学系により形成された被写体の光学的な像を受光して、光学的な像を電気的な画像信号に変換して出力する撮像センサと、撮影時の撮像装置の姿勢を検出する姿勢検出部と、出力された画像信号と検出された姿勢を示す姿勢情報とを関連付けて記録する画像記録部と、記録され画像信号に基づく縮小画像を表示する表示部と、ユーザから姿勢情報の選択を受け付ける受付部と、選択された姿勢情報に応じて表示部における各縮小画像の配置位置と表示サイズとを変更する画像表示制御部とを備え、画像表示制御部は、姿勢情報に基づいて縮小画像の天地方向を撮影時における撮像装置の姿勢に復元し、復元した縮小画像を表示サイズで表示させる。
【００１６】
また本発明の目的は、以下の構成を備えた撮像システムによって達成される。レンズ鏡筒とレンズ鏡筒を交換可能な撮像装置とを含む撮像システムであって、レンズ鏡筒は、被写体の光学的な像を形成する撮像光学系と、撮影時の撮像装置の姿勢を検出する姿勢検出部とを備え、撮像装置は、接続された撮像光学系により形成された被写体の光学的な像を受光して、光学的な像を電気的な画像信号に変換して出力する撮像センサと、撮影時の撮像装置の姿勢を検出する姿勢検出部と、出力された画像信号に基づく縮小画像と検出された姿勢を示す姿勢情報とを関連付けて記録する画像記録部と、記録された縮小画像を表示する表示部と、ユーザから姿勢情報の選択を受け付ける受付部と、選択された姿勢情報に応じて表示部における各縮小画像の配置位置と表示サイズとを変更する画像表示制御部とを備え、画像表示制御部は、姿勢情報に基づいて縮小画像の天地方向を撮影時における撮像装置の姿勢に復元し、復元した縮小画像を表示サイズで表示させる。
【発明の効果】
【００１７】
以上のように、本発明によれば、撮影姿勢の異なるサムネイル画像を混在させて表示する場合であっても、視認性がよく快適なサムネイル表示を可能とする撮像装置、さらに、これを可能とする表示制御装置、表示装置、画像表示システムおよび撮像システムを提供することができる。
【発明を実施するための最良の形態】
【００１８】
（実施の形態１）
図１は、実施の形態１に係るデジタルカメラ１の概略構成を示すブロック図である。図１において、デジタルカメラ１は、撮像光学系Ｌと、マイクロコンピュータ３と、撮像センサ４と、ＣＣＤ駆動制御部５と、アナログ信号処理部６と、Ａ／Ｄ変換部７と、デジタル信号処理部８と、バッファメモリ９と、画像圧縮部１０と、画像記録制御部１１と、画像記録部１２と、画像表示制御部１３と、表示部５５と、シャッター制御部４１と、シャッター駆動モータ４２とを備えている。
【００１９】
撮像光学系Ｌは、３つのレンズ群Ｌ１、Ｌ２、Ｌ３を含む光学系である。第１レンズ群Ｌ１が光軸方向に移動することによりズーミングが行われる。また、第３レンズ群Ｌ３が光軸方向に移動することによりフォーカシングが行われる。第２レンズ群Ｌ２は、補正レンズ群であって、光軸に垂直な面内を移動することにより光軸を偏心させて画像の動きを補正する役割を果たしている。
【００２０】
マイクロコンピュータ３は、デジタルカメラ１の各種の制御部全体を制御する。なお、マイクロコンピュータ３は、電源スイッチ３５、シャッター操作部３６、撮影／再生切換操作部３７、十字操作キー３８、ＭＥＮＵ設定操作部３９およびＳＥＴ操作部４０からの信号をそれぞれ受信可能である。
【００２１】
シャッター操作部３６は、撮影の際にユーザによって操作される、例えばレリーズボタンである。シャッター操作部３６が操作されると、タイミング信号がマイクロコンピュータ３に出力される。シャッター制御部４１は、タイミング信号を受信したマイクロコンピュータ３から出力される制御信号にしたがって、シャッター駆動モータ４２を駆動し、シャッターを動作させる。
【００２２】
撮像センサ４は、ＣＣＤであり、撮影光学系Ｌにより形成される光学的な像を電気的な信号に変換する。撮像センサ４は、ＣＣＤ駆動制御部５により駆動制御される。なお、撮像センサ４は、ＣＭＯＳでもよい。
【００２３】
撮像センサ４から出力された画像信号は、アナログ信号処理部６から、Ａ／Ｄ変換部７、デジタル信号処理部８、バッファメモリ９、画像圧縮部１０へと、順次送られて処理される。アナログ信号処理部６は、撮像センサ４から出力される画像信号にガンマ処理等のアナログ信号処理を施す。Ａ／Ｄ変換部７は、アナログ信号処理部６から出力されたアナログ信号をデジタル信号に変換する。デジタル信号処理部８は、Ａ／Ｄ変換部７によりデジタル信号に変換された画像信号に対してノイズ除去や輪郭強調等のデジタル信号処理を施す。バッファメモリ９は、ＲＡＭ（Ｒａｎｄｏｍ  Ａｃｃｅｓｓ  Ｍｅｍｏｒｙ）であり、デジタル信号処理部８により処理された画像信号を一旦記憶する。
【００２４】
さらに、バッファメモリ９に記憶された画像信号は、画像圧縮部１０から画像記録部１２へと、順次送られて処理される。バッファメモリ９に記憶された画像信号は、画像記録制御部１１の指令により読み出されて、画像圧縮部１０に送信される。画像圧縮部１０に送信された画像信号のデータは、所定の比率で圧縮されて、そのデータサイズが小さくなる。かかる圧縮方法として、例えばＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。また同時に、画像圧縮部１０はサムネイル表示等に用いられる撮影画像に対応する縮小画像信号についても生成する。その後、圧縮された画像信号および縮小画像信号は、画像記録部１２へ送信される。
【００２５】
画像記録部１２は、画像記録制御部１１の指令に基づいて、画像信号と、対応する縮小画像信号と、記録すべき所定の情報とを関連付けて記録する、例えば内部メモリおよび／又は着脱可能なリムーバブルメモリである。なお、画像信号とともに記録すべき所定の情報は、画像の撮影日時と、焦点距離情報と、シャッタースピード情報と、絞り値情報と、撮影モード情報と、後述するデジタルカメラ１の姿勢情報とを含む。
【００２６】
画像表示制御部１３は、マイクロコンピュータ３からの制御信号により制御される。この画像表示制御部１３の指令により、表示部５５は、画像記録部１２あるいはバッファメモリ９に記録された画像信号を可視画像として表示する。表示部５５の表示形態は、画像信号のみを可視画像として表示する表示形態と、画像信号と撮影時の情報とを可視画像として表示する表示形態とがある。なお、画像信号の撮影時の情報は、焦点距離情報と、シャッタースピード情報と、絞り値情報と、撮影モード情報と、合焦状態情報と、姿勢情報とを含む。これらの情報は、ＭＥＮＵ設定操作部３９の操作により表示される。
【００２７】
次に、実施の形態１に係るデジタルカメラ１の構成について、図２Ａおよび２Ｂを用いて説明する。図２Ａはデジタルカメラ１の上面図、図２Ｂはデジタルカメラ１の背面図である。
【００２８】
筐体１ａは、前面にレンズ２を含む撮像光学系を備え、背面に電源スイッチ３５と、撮影／再生切換操作部３７と、十字操作キー３８と、ＭＥＮＵ設定操作部３９と、ＳＥＴ操作部４０と、液晶モニタからなる表示部５５とを含む。さらに、筐体１ａの上面は、シャッター操作部３６と、ズーム操作部５７とを備える。
【００２９】
ズーム操作部５７は、シャッター操作部３６と同軸に回動可能となるように、シャッター操作部３６の周囲に設けられている。電源スイッチ３５は、デジタルカメラ１の電源のＯＮ／ＯＦＦを行う操作部材である。撮影／再生切換操作部３７は、撮影モードと再生モードの切換えを行う操作部材であり、レバーを回動させることにより切換えられる。また撮影モードに切換えられた状態で、ズーム操作部５７を右方向へ回動させると、撮影光学系Ｌは望遠側へ切換えられる。一方、ズーム操作部５７を左方向へ回動させると撮影光学系Ｌは広角側へ切換えられる。
【００３０】
ＭＥＮＵ設定操作部３９は、表示部５５に各種メニューを表示させるための操作部材である。十字操作キー３８は、ＭＥＮＵ設定操作部３９の操作により表示部５５に表示された各種操作メニューから、上下左右の部位を押下して選択するための操作部材である。十字操作キー３８により各種操作メニューが選択されると、マイクロコンピュータ３は選択されたメニューの実行指令を出力する。ＳＥＴ操作部４０は、各種操作メニューの表示を表示前の状態に戻すための操作部材である。
【００３１】
次に、本実施の形態に係るデジタルカメラ１の姿勢を検出する姿勢検出部４３について説明する。現在、デジタルカメラ１の姿勢を検出する手段として、様々な姿勢検出方法が提案されている。その一例として特許文献１に開示されているように、回転検出部を備えたデジタルカメラが提案されている。さらに他の例として、デジタルカメラに加わる振動を検知して、撮像光学系の補正レンズを光軸と直交する２方向に駆動する像ブレ補正部を備えたデジタルカメラが提案されている。像ブレ補正部を備えたデジタルカメラは、像ブレ補正部から出力される補正レンズへの駆動信号を検出することにより、デジタルカメラの姿勢を判別する。本実施の形態に係るデジタルカメラ１は、上述の方法により姿勢を検出する姿勢検出部を備えてもよいし、また、これらに限られずデジタルカメラに角速度センサ等を取り付けてもよい。なお、上述した姿勢検出方法は一例であって、これらの方法によらず姿勢を検出する構成を備えていればよい。
【００３２】
次に、本実施の形態に係るデジタルカメラ１の動作について説明する。図３は撮影姿勢別に出力される姿勢判別信号を示す。なお、本実施の形態における撮影姿勢は、横撮り姿勢をデジタルカメラ１の基準姿勢としている（角度は０°）。したがって、縦撮りの姿勢は、デジタルカメラ１の基準姿勢から光軸を中心として９０°回転させた状態となる。
【００３３】
撮影を行うために、撮影者は、まず電源スイッチ３５をＯＮ側に操作した後、撮影／再生切換操作部３７を撮影モードに切換える。これにより、デジタルカメラ１は撮影状態へ移行する。風景など横長の被写体を撮影するため撮影者がデジタルカメラ１を横撮り姿勢にすると、姿勢検出部４３は姿勢判別信号６０（０）を出力する。そして横撮り姿勢でシャッター操作部３６が操作されると、画像記録制御部１１は画像信号が格納される画像ファイルに対して姿勢判別信号６０（０）を付加する。ここで姿勢判別信号６０は、例えば画像ファイルのフッタ部分あるいはヘッダ部分に付加される。姿勢判別信号６０が付加された画像ファイルは、画像記録部１２に記録される。
【００３４】
一方、人物など縦長の被写体を撮影するため撮影者がデジタルカメラ１を縦撮り姿勢にすると、姿勢検出部４３は姿勢判別信号６０（１）を出力する。そして縦撮り姿勢でシャッター操作部３６が操作されると、画像記録制御部１１は画像信号を格納する画像ファイルに対して姿勢判別信号６０（１）を付加する。ここで、姿勢判別信号６０（１）は、例えば画像ファイルのフッタ部分あるいはヘッダ部分に付加される。姿勢判別信号６０（１）が付加された画像ファイルは、画像記録部１２に記録される。このように画像ファイルには、撮影時のデジタルカメラ１の姿勢に応じた姿勢判別信号６０が画像信号とともに格納される。
【００３５】
次に、画像信号および姿勢判別信号が格納される画像ファイルの管理方法について図４を用いて説明する。図４において画像記録部１２には、撮影画像フォルダ９０と、その下の階層に静止画像フォルダ９１および動画像フォルダ９２とが形成される。さらに、静止画像フォルダ９１および動画像フォルダ９２のそれぞれ下の階層に、横姿勢画像フォルダ９３ａおよび９３ｂと縦姿勢画像フォルダ９４ａおよび９４ｂとが形成される。これにより撮影画像は、静止画像もしくは動画像別のフォルダに振り分けられた後、さらに撮影時の撮影姿勢別のフォルダに格納される。例えば、静止画撮影モードにおいて横撮り姿勢にて撮影された静止画像は、静止画像ファイル９５として横姿勢画像フォルダ９３ａに格納される。また例えば、動画撮影モードにおいて縦撮り姿勢にて撮影された動画像は、動画像ファイル９６として縦姿勢画像フォルダ９４ｂに格納される。
【００３６】
図５は、撮影画像の記録処理を示し、記録開始から記録終了までのフローチャートである。まず、撮影者は撮影画像を記録するためにＭＥＮＵ設定操作部３９を操作して、表示部５５に各種メニュー画面を表示させる。そして撮影者は、表示された各種メニュー画面から画像記録を選択する。この一連の操作によりデジタルカメラ１は、画像記録のモードへ移行する（ステップＳ１）。次にマイクロコンピュータ３は、撮影モードの判定を行う。すなわちマイクロコンピュータ３は、撮影者が静止画撮影モードまたは動画撮影モードのいずれの撮影モードを選択しているのかを判断する（ステップＳ２）。静止画撮影モードが選択されている場合にはデジタルカメラ１の処理はステップＳ３へ移行し、動画撮影モードが選択されている場合にはデジタルカメラ１の処理はステップＳ８へ移行する。
【００３７】
まず、ステップＳ２において静止画撮影モードと判断された場合の処理（ステップＳ３〜ステップＳ７）について説明する。すなわち画像記録制御部１１は、撮影画像の記録先ディレクトリを静止画像フォルダ９１に設定する（ステップＳ３）。次に、画像記録制御部１１は、姿勢検出部４３により出力された姿勢判別信号６０に基づいてデジタルカメラ１の姿勢を判断する（ステップＳ４）。すなわち、姿勢判別信号６０が（０）である場合にはデジタルカメラ１の姿勢は横撮り姿勢であり、姿勢判別信号が（１）である場合にはデジタルカメラ１の姿勢は縦撮り姿勢である。
【００３８】
画像記録制御部１１は、ステップＳ４で判断されたデジタルカメラ１の撮影姿勢が横撮り姿勢である場合には、撮影画像を格納すべきフォルダを横姿勢画像フォルダ９３ａに設定する（ステップＳ５ａ）。一方、画像記録制御部１１は、撮影姿勢が縦撮り姿勢である場合には撮影画像を格納すべきフォルダを縦姿勢画像フォルダ９４ａに設定する（ステップＳ５ｂ）。このようにステップＳ５ａ、Ｓ５ｂの処理により、静止画像の記録先のフォルダが決定される。次に、撮影者によりシャッター操作部３６が押されたか否かを判断し（ステップＳ６）、押された場合には静止画撮影処理を行う（ステップＳ７）。静止画撮影処理が終了すると撮影画像は所定のフォルダに格納され、記録は終了する。このように撮影された静止画像は、画像ファイル９５ａ、９５ｂとして、横姿勢画像フォルダ９３ａあるいは縦姿勢画像フォルダ９４ａ内に格納される。
【００３９】
次に、ステップＳ２において動画撮影モードと判断された場合の処理（ステップＳ８〜ステップＳ１２）について説明する。撮影者が動画撮影モードを選択している場合、画像記録制御部１１は、撮影画像の記録先ディレクトリを動画像フォルダ９２に設定する（ステップＳ８）。そして画像記録制御部１１は、姿勢検出部４３により出力された姿勢判別信号６０に基づいてデジタルカメラ１の姿勢を判断する（ステップＳ９）。続いて画像記録制御部１１は、ステップＳ９で判断されたデジタルカメラ１の撮影姿勢が横撮り姿勢である場合には、撮影画像を格納すべきフォルダを横姿勢画像フォルダ９３ｂに設定する（ステップＳ１０ａ）。一方、画像記録制御部１１は、撮影姿勢が縦撮り姿勢である場合には、撮影画像を格納すべきフォルダを縦姿勢画像フォルダ９４ｂに設定する（ステップＳ１０ｂ）。次に、撮影者によりシャッター操作部３６が押されたか否かを判断し（ステップＳ１１）、押された場合には動画像撮影処理を行う（ステップＳ１２）。動画像撮影処理が終了すると撮影画像は所定のフォルダに格納され、記録は終了する。このように撮影された静止画像は、画像ファイル９６ａ、９６ｂとして、横姿勢画像フォルダ９３ｂあるいは縦姿勢画像フォルダ９４ｂ内に格納される。以上により、図５に示す撮影画像の記録処理は終了する。
【００４０】
次に、デジタルカメラ１により撮影された画像の表示処理について図６Ａおよび６Ｂを用いて説明する。図６Ａおよび６Ｂは、デジタルカメラ１の表示部５５に表示される撮影画像の一例を示す。図６Ａは横撮り画像の表示例、図６Ｂは縦撮り画像の表示例を示す。撮影者は、表示部５５に撮影画像を表示するために、電源スイッチ３５をＯＮとした後、撮影／再生切換操作部３７を再生モードに切換える。これにより撮影画像は表示部５５に１枚の撮影画像が表示されるか、またはサムネイル表示される。サムネル表示された場合には、さらに撮影者は表示されたサムネイル画像の中から十字操作キー３８を操作して画像を選択することができる。以上の一連の操作により、表示部５５には選択された１枚の撮影画像が表示される。このとき画像表示制御部１３は、撮影の際に姿勢検出部４３により出力された姿勢判別信号６０に基づき撮影画像の表示を制御する。以下、撮影画像の表示制御処理について説明する。
【００４１】
横撮り姿勢で撮影された画像は、撮影の際に横撮り姿勢であることを示す姿勢判別信号６０（０）が付加されている。画像表示制御部１３は、図６Ａに示すように、付加された姿勢判別信号が（０）の場合には横撮り画像を表示部５５に表示させる。
【００４２】
一方、縦撮り姿勢で撮影された画像は、撮影の際に縦撮り姿勢であることを示す姿勢判別信号６０（１）が付加されている。画像表示制御部１３は、図６Ｂに示すように、付加された姿勢判別信号が（１）の場合には表示部５５に表示される撮影画像の姿勢を９０°回転させて表示する。すなわち、表示部５５に表示される撮影画像は、撮影時と同じ姿勢に復元される。このように画像表示制御部１３は、撮影画像の天地方向を撮影時の撮影姿勢に復元して表示するので、視認性を向上させることができる。なお、図６において表示部５５は横幅を長辺長としているが、縦幅を長辺長とする表示部であってもよい。
【００４３】
かかる表示制御処理は、撮影画像をサムネイル表示する場合についても同様に行われる。図７は、撮影画像をサムネイル表示させた場合の表示例を示す。上述のように画像記録部１２には、撮影画像とともに撮影画像に対して間引き処理等が施されたサムネイル画像が記録される。撮影者がＭＥＮＵ設定操作部３９等を操作すると、画像表示制御部１３は撮影された日時順に複数のサムネイル画像を表示部５５に表示させる。図７に示すように画像表示制御部１３は、表示部５５に３行×３列の合計９枚のサムネイル画像を表示する。なお図７中、１〜７番の７つのサムネイル画像は横撮りサムネイル画像であり、また８番および９番の２つのサムネイル画像は、縦撮りサムネイル画像である。このように表示部５５には縦および横撮りサムネイル画像が混在して表示される。
【００４４】
また画像表示制御部１３は、サムネイル表示においても図６で示した場合と同様の表示制御処理を行う。画像表示制御部１３は、姿勢判別信号６０（０）に基づいて、撮影時の撮影姿勢と同じ姿勢でサムネイル画像を表示する（図７中の１〜７番）。一方、姿勢判別信号（１）が付加されている場合には、画像表示制御部１３は横撮り姿勢に対して光軸を中心に９０°回転させてサムネイル画像を表示する。すなわち、縦撮り姿勢にて撮影された画像は、撮影時と同じ姿勢に天地方向が復元されて表示部５５に表示される（図７中の８および９番）。これにより、本実施の形態に係るデジタルカメラ１は、視認性のよいサムネイル表示を可能とする。なお、撮影者は表示部５５に表示されたサムネイル画像から十字操作キー３８を操作して一枚の画像を選択することができる。選択されたサムネイル画像は、図６で示したように拡大されて表示部５５に表示される。
【００４５】
さらに本実施の形態に係るデジタルカメラ１は、縦撮りサムネイル画像または横撮りサムネイル画像のいずれか一方を優先して表示することができる。すなわち、本実施の形態に係るデジタルカメラは、縦および横撮りサムネイル画像を混在させて表示する場合において、縦または横撮りサムネイル画像のいずれかの一方を他方よりも優先的に大きな表示サイズに変更し、各サムネイル画像の配置位置を変更して表示する。例えば縦撮りサムネイル画像が優先されると、各縦撮りサムネイル画像は各横撮りサムネイル画像のよりも大きな表示サイズで表示される。
【００４６】
図８は、表示部５５に表示される表示画像優先度選択メニュー６６の一例である。表示画像優先度選択メニュー６６は、撮影者が撮影／再生切換操作部３７を再生モードに切換え、さらにＭＥＮＵ設定操作部３９が押下すると表示される。表示画像優先度選択メニュー６６は、横画像選択ボタン６６ａと縦画像選択ボタン６６ｂとから構成され、撮影者はいずれかの選択ボタンを選択することができる。
【００４７】
撮影者により横画像選択ボタン６６ａが選択されると、画像表示制御部１３は横撮りサムネイル画像を縦撮りサムネイル画像よりも大きな表示サイズで表示部５５に表示する。図９Ａは、横撮りサムネイル画像を優先させて表示するレイアウトの一例である。図９Ａ中、表示部５５には２枚の横撮りサムネイル画像Ｈと５枚の縦撮りサムネイル画像Ｖが表示される。画像表示制御部１３は、横画像選択ボタン６６ａが選択されると図９Ａに示すレイアウトに従って、各サムネイル画像を所定の表示サイズおよび配置位置に表示する。これにより横撮りサムネイル画像Ｈは、縦撮りサムネイル画像Ｖよりも大きな表示サイズで表示されるので、横撮りサムネイル画像Ｈの視認性を向上させることができる。
【００４８】
一方、撮影者により縦画像選択ボタン６６ｂが選択されると、画像表示制御部１３は縦撮りサムネイル画像を横撮りサムネイル画像よりも大きな表示サイズで表示する。図９Ｂは、縦撮りサムネイル画像を優先させて表示するレイアウトの一例である。図９Ｂ中、表示部５５には３枚の横撮りサムネイル画像Ｈと４枚の縦撮りサムネイル画像Ｖが表示される。画像表示制御部１３は、縦画像選択ボタン６６ｂが選択されると各サムネイル画像を図９Ｂに示すレイアウトに従って、各サムネイル画像を所定の表示サイズおよび配置位置に表示する。これにより縦撮りサムネイル画像Ｖは、横撮りサムネイル画像Ｈよりも大きな表示サイズで表示されるので、縦撮りサムネイル画像Ｖの視認性を向上させることができる。
【００４９】
なお、図９Ａおよび９Ｂに示したレイアウトは一例であり、これ以外にも種々のレイアウトが考えられる。すなわち、優先された撮影姿勢により撮影されたサムネイル画像を他方の撮影姿勢により撮影されたサムネイル画像よりも大きな表示サイズで表示できればよい。したがって画像表示制御部１３は、例えば横撮りサムネイル画像Ｈを優先するレイアウトとして図１０Ａのレイアウトに従って各サムネイル画像を表示してもよいし、また縦撮りサムネイル画像Ｖを優先するレイアウトとして図１０Ｂに示すレイアウトに従って各サムネイル画像を表示してもよい。
【００５０】
以上のように、本実施の形態に係るデジタルカメラは、サムネイル画像の天地方向を撮影時の撮影姿勢に復元し、復元したサムネイル画像を表示部に表示する。さらに、本実施の形態に係るデジタルカメラは、縦または横撮りサムネイル画像のうち、いずれか一方のサムネイル画像を優先させて表示する。これにより、本実施の形態に係るデジタルカメラは、優先された撮影姿勢により撮影されたサムネイル画像を他方のサムネイル画像よりも大きな表示サイズで表示するので、撮影姿勢の異なるサムネイル画像を混在させて表示させた場合でも視認性のよいサムネイル表示が可能である。
【００５１】
なお、サムネイル画像を表示させる順序は、撮影された日時順に表示部５５の左部から右部にかけて表示させてもよい。図１１ＡおよびＢは、図８に示したレイアウトに関しサムネイル画像を表示する順序を示した図である。図１１ＡおよびＢにおいて横撮りおよび縦撮りサムネイル画像は、それぞれ撮影された日時の古いものから順に図中の矢印に従って表示される。なお、図１１Ａおよび１１Ｂに示した表示の順序は一例であって、これ以外の順序であってもよい。また例えば、撮影日時に関係なくランダムに表示させてもよい。
【００５２】
なお、本実施の形態に係るデジタルカメラは、複数のレイアウトを格納した表示レイアウト格納部をさらに備えてもよい。かかる場合、画像表示制御部１３は、表示画像優先度選択メニュー６６において選択された結果に基づいて、表示レイアウト格納部から所定のレイアウトを抽出し、抽出したレイアウトにしたがって各サムネイル画像を表示部５５に表示する。また表示レイアウト格納部は、縦撮りサムネイル画像を優先して表示するレイアウトと横撮りサムネイル画像を優先して表示するレイアウトとを各々１種類ずつ格納してもよいし、それぞれ複数のレイアウトを格納してもよい。
【００５３】
なお、本実施の形態に係るデジタルカメラは、サムネイル画像をレイアウトにしたがって表示したが、これに限られない。画像信号が格納される画像ファイルに対して、表示サイズおよび配置位置を示す情報を付加し、付加された情報にしたがってサムネイル画像が表示されてもよい。
【００５４】
（実施の形態２）
図１２は、実施の形態２に係る表示装置およびデジタルカメラを示す図である。本実施の形態に係る表示装置７０は、ケーブル７５を介してデジタルカメラ１と接続される。なお、デジタルカメラ１は実施の形態１とほぼ同様の構成を備えるが、デジタルカメラ１の画像記録部に記録された撮影画像を外部に接続された表示装置７０に表示させる点で異なる。以下、実施の形態１と異なる点を中心に説明する。
【００５５】
表示装置７０は、デジタルカメラ１から出力された制御信号に基づいて、撮影時の撮影姿勢に天地方向を復元した撮影画像およびサムネイル画像を表示する、例えばテレビモニタである。ケーブル７５は、表示装置７０とデジタルカメラ１とを接続する、例えばＵＳＢ（Ｕｎｉｖｅｒｓａｌ  Ｓｅｒｉａｌ  Ｂｕｓ）である。表示装置７０は、ケーブル７５を介して画像表示制御部１３により制御される。すなわち、画像表示制御部１３は表示装置７０に表示させる撮影画像およびサムネイル画像の天地方向を撮影時の撮影姿勢に復元して表示する。さらに、画像表示制御部１３はサムネイル表示を行う際に縦または横撮り姿勢により撮影されたサムネイル画像のうち、いずれか一方の撮影姿勢により撮影されたサムネイル画像を優先させて表示する。なお、画像表示制御部１３の作用及び効果は実施の形態１と同様であるので、ここでは説明を省略する。
【００５６】
このように本実施の形態に係る表示装置は、デジタルカメラから出力された制御信号に基づいて、撮影時の撮影姿勢に天地方向を復元したサムネイル画像を表示することができる。さらに表示装置は、デジタルカメラから出力された制御信号に基づいて、縦撮り姿勢または横撮り姿勢により撮影されたサムネイル画像のうち、いずれか一方のサムネイル画像を優先させて表示する。したがって、優先された撮影姿勢により撮影されたサムネイル画像を他方の撮影姿勢により撮影されたサムネイル画像よりも大きなサイズで表示することができるので、撮影姿勢の異なるサムネイル画像を混在させて表示させた場合でも、視認性の高いサムネイル表示が可能である。
【００５７】
特に、本実施の形態に係る表示装置を用いることにより、デジタルカメラの表示部よりも大きな表示画面に画像を表示することができるので、さらに視認性のよいサムネイル表示が可能である。また、本実施の形態に係る表示装置は、表示部を備えていないデジタルカメラにより撮影された画像を表示する場合に特に効果的である。
【００５８】
なお、本実施の形態に係る表示装置は一例としてテレビモニタを用いたが、これに限られない。例えば、デジタルカメラはモニタに接続されたパーソナルコンピュータとケーブルを介して接続されてもよい。
【００５９】
なお、本実施の形態に含まれるケーブル７５は、ＵＳＢケーブルを用いたが、これに限られない。例えば、ＩＥＥＥ１３９４シリアルバス用ケーブルや無線ＬＡＮなどの無線により接続されてもよい。さらには、通信技術の進歩又は派生する別技術によりこれらに置き換わる技術が登場すれば、当然、その技術を用いて接続されてもよい。
【００６０】
（実施の形態３）
図１３は、実施の形態３に係る表示制御装置、デジタルカメラおよび表示装置を示す図である。図１３中、デジタルカメラ１および表示装置８０は、実施の形態１および２とほぼ同様の構成を備えるが、リムーバブルメモリ５１に記録された画像を姿勢情報とともに読み取り可能な点で異なる。また、本実施の形態に係る表示制御装置８２は、実施の形態１における画像表示制御部１３と同様の機能を有する点で異なる。以下、実施の形態１および２と異なる点を中心に説明する。
【００６１】
デジタルカメラ１により撮影された画像は、姿勢情報とともにリムーバブルメモリ５１に記録される。リムーバブルメモリ５１は、例えばメモリーカードである。表示装置８０は、実施の形態２に係る表示装置７０とほぼ同様の構成を有するが、リムーバブルメモリ挿入部８１をさらに備え、リムーバブルメモリ５１に記録されたサムネイル画像を姿勢情報とともに読み取ることができる。
【００６２】
表示制御装置８２は、実施の形態１における画像表示制御部１３と同様の機能を有し、表示装置８０における撮影画像の表示を制御する、例えばハードディスクレコーダやパーソナルコンピュータである。表示制御装置８２は、姿勢情報に基づいて撮影画像およびサムネイル画像の天地方向を撮影時の撮影姿勢に復元して表示させる制御信号を表示装置８０に出力する。ここで表示制御装置８２から出力される制御信号には、縦または横撮り姿勢により撮影されたサムネイル画像のうち、いずれか一方の撮影姿勢により撮影されたサムネイル画像を優先して表示させる信号を含む。表示装置８０は、表示制御装置８２から出力された制御信号にしたがって撮影画像およびサムネイル画像を表示する。
【００６３】
以上のように、本実施の形態に係る表示制御装置は、姿勢情報に基づいて、撮影時の撮影姿勢に天地方向を復元したサムネイル画像を表示装置に表示する。さらに表示制御装置は、縦撮り姿勢または横撮り姿勢により撮影されたサムネイル画像のうち、いずれか一方のサムネイル画像を優先させて表示装置に表示する。したがって、優先された撮影姿勢により撮影されたサムネイル画像を他方の撮影姿勢により撮影されたサムネイル画像よりも大きなサイズで表示させることができるので、撮影姿勢の異なるサムネイル画像を混在させて表示させた場合でも、視認性の高いサムネイル表示が可能である。
【００６４】
特に本実施の形態に係る表示制御装置は、読み出した撮影画像と姿勢情報とから視認性のよいサムネイル表示を行うことができるので、デジタルカメラは撮影画像と姿勢情報とを記録できればよく複雑な構成を必要しない。
【００６５】
なお、本実施の形態に係る表示制御装置、デジタルカメラおよび表示装置に含まれる各構成要素同士は、任意の組み合わせが可能である。例えば、デジタルカメラは表示レイアウト格納部を備え、選択された表示レイアウトを撮影画像とともにリムーバブルメモリに格納してもよく、各構成要素の組み合わせはこれに限られない。
【００６６】
なお、本実施の形態に係る表示制御装置は、ハードディスクレコーダやパーソナルコンピュータを例として示したが、これに限られない。例えば、リムーバブルメモリの読み出しが可能なＤＶＤレコーダ等を介して、テレビモニタに表示してもよい。
【００６７】
なお、本実施の形態に含まれる表示装置および表示制御装置は、リムーバブルメモリ挿入部を備えたが、これに限られない。例えば、リムーバブルメモリの読み出しが可能なメモリーカードリーダ等の読み取り装置と、表示制御装置と、表示装置とが接続された構成としてもよい。
【００６８】
なお、実施の形態１〜３において、表示部の画面を仮想的に２分割あるいは３分割し、当該分割画面にサムネイル画像を表示してもよい。
【００６９】
なお、実施の形態１〜３において、デジタルカメラは、１つのシャッター操作部を備えたが、これに限られない。例えば、横撮り姿勢にて用いる第１シャッター操作部と、縦撮り姿勢にて用いる第２シャッター操作部との２つのシャッター操作部を備えてもよい。これにより、姿勢検出部を備えないデジタルカメラであっても、いずれの撮影姿勢により撮影されたかを容易に把握することができる。
【００７０】
なお、実施の形態１〜３において、撮影画像は静止画像である場合についてのみ示したが、動画あるいは簡易動画であっても同様の効果を得ることができる。
【００７１】
なお、実施の形態１〜３において、横撮り姿勢を０°とし、横撮り姿勢から光軸を中心に９０°回転させたときのデジタルカメラの姿勢を縦撮り姿勢としたが、これに限られない。縦撮り姿勢は、横撮り姿勢から光軸を中心に−９０°回転させたときの姿勢を含む。また、あるいは姿勢検出部は、横撮り姿勢から光軸を中心に−９０°回転させた場合には姿勢判別信号として（２）を付加してもよく、横撮り姿勢が１種類、縦撮り姿勢が２種類の合計３種類の姿勢を検出してもよい。
【００７２】
なお、実施の形態１〜３において、姿勢検出部は、姿勢判別信号として（０）または（１）の信号を付加したが、これに限られない。例えば、縦撮り姿勢により撮影された画像についてのみ信号を付加してもよい。また姿勢判別信号は、画像ファイルのヘッダあるいはフッタ部分に格納されたが、これに限られない。姿勢判別信号は、画像信号とは別のファイルに記録してもよく、画像信号が記録された画像ファイルと、姿勢判別信号が記録された姿勢判別ファイルとを対応させてもよい。
【００７３】
なお、実施の形態１〜３において、表示部あるいは表示装置の縦横比は、横幅を長辺としたが、これに限られない。縦幅を長辺とする表示部あるいは表示装置であっても同様の効果を得ることができる。
【００７４】
なお、実施の形態１〜３に係るデジタルカメラは撮像光学系を備えたが、これに限られない。一眼レフレックスカメラシステムのように、撮像光学系を保持するレンズ鏡筒と、撮像素子を含むカメラ本体とが別々に構成されるシステムに対しても適用することができる。
【００７５】
なお、実施の形態２または３において、撮影画像はデジタルカメラの外部に接続された表示装置に表示する構成としたが、これに限られない。例えば、デジタルカメラの外部に印刷装置を接続する場合においても、本発明と同様の効果を得ることができる。
【００７６】
なお、実施の形態２または３において、表示装置にはサムネイル画像を表示する場合について説明したが、単一の撮影画像を表示する場合についても天地方向を復元して表示することができる。
【産業上の利用可能性】
【００７７】
本発明の撮像装置、表示装置ならびに表示制御装置は、撮影画像の表示方法に関し快適な表示が要望されている、デジタルスチルカメラ、デジタルビデオカメラ、カメラ機能付きの携帯電話端末およびＰＤＡ、さらにＤＶＤレコーダおよびハードディスクレコーダなどに好適である。
【図面の簡単な説明】
【００７８】
【図１】実施の形態１に係るデジタルカメラの概略構成を示すブロック図
【図２Ａ】実施の形態１に係るデジタルカメラの構成を示す図であり、デジタルカメラの上面図
【図２Ｂ】実施の形態１に係るデジタルカメラの構成を示す図であり、デジタルカメラの背面図
【図３】実施の形態１において撮影姿勢別に出力される姿勢判別信号を示す図
【図４】実施の形態１において、撮影した画像ファイルの管理方法を説明する図
【図５】実施の形態１における撮影画像の記録開始から記録終了までのフローチャート
【図６Ａ】実施の形態１に係るデジタルカメラの表示部に表示される撮影画像の一例を示し、横撮り画像の表示例
【図６Ｂ】実施の形態１に係るデジタルカメラの表示部に表示される撮影画像の一例を示し、縦撮り画像の表示例
【図７】実施の形態１において、撮影画像をサムネイル表示させた場合における表示部の表示例を示す図
【図８】実施の形態１において表示部に表示される表示画像優先度選択メニューの一例を示す図
【図９Ａ】実施の形態１における表示レイアウトの一例を示す図であり、横撮りサムネイル画像を優先させた表示レイアウトの一例
【図９Ｂ】実施の形態１における表示レイアウトの一例を示す図であり、縦撮りサムネイル画像を優先させた表示レイアウトの一例を示す図
【図１０Ａ】実施の形態１における表示レイアウトの他の例を示す図
【図１０Ｂ】実施の形態１における表示レイアウトの他の例を示す図
【図１１Ａ】実施の形態１において画像の表示する順序を説明するための図
【図１１Ｂ】実施の形態１において画像の表示する順序を説明するための図
【図１２】実施の形態２に係る表示装置およびデジタルカメラを示す図
【図１３】実施の形態３に係る表示制御装置、デジタルカメラおよび表示装置を示す図
【図１４Ａ】デジタルカメラの姿勢と表示部に表示される撮影画像の姿勢との関係を示す図
【図１４Ｂ】デジタルカメラの姿勢と表示部に表示される撮影画像の姿勢との関係を示す図
【図１４Ｃ】デジタルカメラの姿勢と表示部に表示される撮影画像の姿勢との関係を示す図
【図１５】従来の撮像装置により撮影された画像を一覧表示させた例を示す図
【符号の説明】
【００７９】
１  デジタルカメラ
１ａ  筐体
２  レンズ
３  マイクロコンピュータ
４  撮像センサ
５  ＣＣＤ駆動制御部
６  アナログ信号処理部
７  Ａ／Ｄ変換部
８  デジタル信号処理部
９  バッファメモリ
１０  画像圧縮部
１１  画像記録制御部
１２  画像記録部
１３  画像表示制御部
１４  表示レイアウト格納部
３５  電源スイッチ
３６  シャッター操作部
３７  撮影／再生切換操作部
３８  十字操作キー
３９  ＭＥＮＵ設定操作部
４０  ＳＥＴ操作部
５５  表示部
６０  姿勢判別信号
６５  表示画像優先度選択メニュー
６６ａ  横画像選択ボタン
６６ｂ  縦画像選択ボタン
７０  表示装置
７５  ケーブル
８０  表示装置
８１  リムーバブルメモリ挿入部
８２  表示制御装置
９０  撮影画像フォルダ
９１  静止画像フォルダ
９２  動画像フォルダ
９３ａ、９３ｂ  横姿勢画像フォルダ
９４ａ、９４ｂ  縦姿勢画像フォルダ
９５  静止画像ファイル
９６  動画像ファイル
Ｌ  撮影光学系
Ｌ１  第１レンズ群
Ｌ２  第２レンズ群
Ｌ３  第３レンズ群
Ｈ  横撮りサムネイル画像
Ｖ  縦撮りサムネイル画像
【手続補正３】
【補正対象書類名】図面
【補正対象項目名】全図
【補正方法】変更
【補正の内容】
【図１】
2007063680.tif 000025
【図２Ａ】
2007063680.tif 000026
【図２Ｂ】
2007063680.tif 000027
【図３】
2007063680.tif 000028
【図４】
2007063680.tif 000029
【図５】
2007063680.tif 000030
【図６Ａ】
2007063680.tif 000031
【図６Ｂ】
2007063680.tif 000032
【図７】
2007063680.tif 000033
【図８】
2007063680.tif 000034
【図９Ａ】
2007063680.tif 000035
【図９Ｂ】
2007063680.tif 000036
【図１０Ａ】
2007063680.tif 000037
【図１０Ｂ】
2007063680.tif 000038
【図１１Ａ】
2007063680.tif 000039
【図１１Ｂ】
2007063680.tif 000040
【図１２】
2007063680.tif 000041
【図１３】
2007063680.tif 000042
【図１４Ａ】
2007063680.tif 000043
【図１４Ｂ】
2007063680.tif 000044
【図１４Ｃ】
2007063680.tif 000045
【図１５】
2007063680.tif 000046
【国際調査報告】
2007063680.tif 000047
2007063680.tif 000048
2007063680.tif 000049
2007063680.tif 000050